(57)【要約】  本発明は、データ伝送のための方法及び装置を開示し、新たな無線通信システムでの動的なＵＬ/ＤＬリソース割り当て方式でデータを伝送する問題点を解決した。前記方法は、端末は、前記端末の時間ユニットの開始位置を決定し、前記時間ユニットにおけるアップリンク領域及びダウンリンク領域の割り当てを決定するステップと、前記端末は、前記時間ユニットのダウンリンク領域において、ダウンリンク制御チャネルを検出するステップと、前記端末は、検出結果に従い、前記ダウンリンク領域に対応するアップリンク領域において、アップリンク伝送を行うステップとを備える。端末は当該端末に固有の時間ユニットで送信するので、異なる端末の時間ユニットの異なる開始位置、ならびに異なる端末の時間ユニットにおけるアップリンク領域および／またはダウンリンク領域の異なる数および長さもあり得る。こうして、柔軟で多様なリソースの割り当てをサポートすることができる。
2019533361.tif 000002
【特許請求の範囲】
【請求項１】
端末は、前記端末の時間ユニットの開始位置を決定し、前記時間ユニットにおけるアップリンク領域及びダウンリンク領域の割り当てを決定するステップと、
前記端末は、前記時間ユニットのダウンリンク領域において、ダウンリンク制御チャネルを検出し、
前記端末は、検出結果に従い、前記ダウンリンク領域に対応するアップリンク領域において、アップリンク伝送を行うステップと
を備えることを特徴とするデータ伝送のための方法。
【請求項２】
前記端末が、前記端末の時間ユニットの開始位置を決定する場合、
前記端末は、第１の構成シグナリングを受信し、前記第１の構成シグナリングに従い、前記時間ユニットの開始位置を決定し、
前記第１の構成シグナリングは、前記時間ユニット所定の基準時間ユニットに対する時間オフセットを運び、または、前記第１の構成シグナリングは、前記時間ユニットの開始位置に関する情報を運ぶことを特徴とする請求項１に記載のデータ伝送のための方法。
【請求項３】
前記端末が、前記時間ユニットにおけるアップリンク領域及びダウンリンク領域の割り当てを決定する場合、
前記端末は、第２の構成シグナリングを受信し、前記第２の構成シグナリングに従い、前記時間ユニットにおけるアップリンク領域及びダウンリンク領域の割り当てを決定し、または、
前記端末は、アップリンクスケジューリングシグナリングに従い、前記時間ユニットにおけるアップリンク領域を決定し、または、
前記端末は、ダウンリンク伝送の肯定応答（ＡＣＫ）/否定応答（ＮＡＣＫ）フィードバック位置に従い、前記ＡＣＫ／ＮＡＣＫを運ぶアップリンク領域を決定し、
前記第２の構成シグナリングは、前記時間ユニットにおけるアップリンク領域、ダウンリンク領域及びガード期間（ＧＰ）領域のうちの少なくとも１つの領域の長さ及び位置に関する情報を運び、または、
前記第２の構成シグナリングは、前記時間ユニットにおけるアップリンク領域及び/またはダウンリンク領域の割り当てパターンを示す情報を運び、前記時間ユニットにおけるアップリンク領域及び/またはダウンリンク領域の割り当てパターンは、事前に設定された１個の時間ユニットにおけるアップリンク領域及び/またはダウンリンク領域の複数の割り当てパターンのうちの１つであり、または、
前記第２の構成シグナリングは、前記時間ユニットにおけるダウンリンク領域の開始位置または終了位置に関する情報を運び、または、
前記第２の構成シグナリングは、前記時間ユニットにおけるアップリンク領域の開始位置または終了位置に関する情報を運ぶことを特徴とする請求項１に記載のデータ伝送のための方法。
【請求項４】
前記端末が、検出結果に従い、前記ダウンリンク領域に対応するアップリンク領域において、アップリンク伝送を行う場合、
アップリンクダウンリンク制御情報ＤＣＩフォーマットを利用するダウンリンク制御チャネルが検出される場合、前記端末は、前記ダウンリンク制御チャネルの所在のダウンリンク領域に対応するアップリンク領域において、アップリンク共有チャネル伝送を行い、または、
ダウンリンクＤＣＩフォーマットでダウンリンクの半永続的スケジューリング（ＳＰＳ）リソース解放を示すダウンリンク制御チャネルが検出される場合、前記端末は、前記ダウンリンク制御チャネルの所在のダウンリンク領域に対応するアップリンク領域において、ＡＣＫ／ＮＡＣＫフィードバックを行い、または、
ダウンリンク共有チャネルが検出される場合、前記端末は、前記ダウンリンク共有チャネルの所在のダウンリンク領域に対応するアップリンク領域において、ＡＣＫ／ＮＡＣＫフィードバックを行うことを特徴とする請求項１に記載のデータ伝送のための方法。
【請求項５】
ダウンリンクＤＣＩフォーマットでダウンリンクＳＰＳリソース解放を示すダウンリンク制御チャネルが検出される場合、前記ダウンリンク領域に対応するアップリンク領域は、前記ダウンリンク制御チャネルの所在のダウンリンク領域と同一の時間ユニットにおいて事前に約定または構成されたアップリンク領域であり、または、前記ダウンリンク制御チャネル内の指示フィールドにより決定されたアップリンク領域であり、または、前記ダウンリンク制御チャネルの所在のダウンリンク領域の終了位置から所定時間長だけ離間したアップリンク領域であり、
または、
ダウンリンク共有チャネルが検出される場合、前記ダウンリンク領域に対応するアップリンク領域は、前記ダウンリンク共有チャネルの所在のダウンリンク領域と同一の時間ユニットにおいて事前に約定または構成されたアップリンク領域であり、または、前記ダウンリンク共有チャネルのスケジューリングシグナリング内の指示フィールドにより決定されたアップリンク領域であり、または、前記ダウンリンク共有チャネルの所在のダウンリンク領域の終了位置から所定時間長だけ離間したアップリンク領域であり、
または、
アップリンクＤＣＩフォーマットを利用するダウンリンク制御チャネルが検出される場合、前記ダウンリンク領域に対応するアップリンク領域は、前記ダウンリンク制御チャネルの所在のダウンリンク領域と同一の時間ユニットにおいて事前に約定または構成されたアップリンク領域であり、または、前記ダウンリンク制御チャネルの所在のダウンリンク領域の所在の時間ユニットの後ろの時間ユニットにおいて事前に約定または構成されたアップリンク領域であり、または、前記ダウンリンク制御チャネル内の指示フィールドにより決定されたアップリンク領域であることを特徴とする請求項４に記載のデータ伝送のための方法。
【請求項６】
前記時間ユニットは１つ以上のスロットであり、または、
前記時間ユニットは１つ以上のサブフレームであることを特徴とする請求項１ないし請求項５のいずれか１項に記載のデータ伝送のための方法。
【請求項７】
異なるサービスを伝送するための時間ユニットに含まれるダウンリンク領域の数は、同じであるかまたは異なり、及び/または
異なるサービスを伝送するための時間ユニットに含まれるアップリンク領域の数は、同じであるかまたは異なることを特徴とする請求項１ないし請求項５のいずれか１項に記載のデータ伝送のための方法。
【請求項８】
前記時間ユニットが少なくとも２個のダウンリンク領域を含む場合、それぞれのダウンリンク領域の長さは同じでも異なってもよく、及び/または
前記時間ユニットが少なくとも２個のアップリンク領域を含む場合、それぞれのアップリンク領域の長さは同じでも異なってもよいことを特徴とする請求項１ないし請求項５のいずれか１項に記載のデータ伝送のための方法。
【請求項９】
基地局は、端末の時間ユニットの開始位置を決定し、また、前記端末の時間ユニットにおけるアップリンク領域及びダウンリンク領域の割り当てを決定するステップと、
前記基地局は、前記端末の時間ユニットのダウンリンク領域において、前記端末にダウンリンク伝送を送信するステップと、
前記基地局は、前記ダウンリンク伝送の所在のダウンリンク領域に対応するアップリンク領域において、前記端末のアップリンク伝送を受信するステップ
とを備えることを特徴とするデータ伝送のための方法。
【請求項１０】
前記基地局が端末の時間ユニットの開始位置を決定した後に、
前記基地局は、第１の構成シグナリングを通して、前記開始位置を前記端末に通知し、
前記第１の構成シグナリングは、所定の基準時間ユニットに対する前記端末の時間ユニットの時間オフセットを運び、または、
前記第１の構成シグナリングは、前記端末の時間ユニットの開始位置に関する情報を運ぶことを特徴とする請求項９に記載のデータ伝送のための方法。
【請求項１１】
前記基地局は、第１の構成シグナリングを通して、セルの端部にある端末に対し時間ユニットの固定開始位置を構成し、前記時間ユニットの固定開始位置は、事前に定義されたまたは約定された開始位置であり、または、
前記基地局は、第１の構成シグナリングを通して、セルの中心にある端末に対し、同じまたは異なる時間ユニットの開始位置を構成することを特徴とする請求項９に記載のデータ伝送のための方法。
【請求項１２】
前記基地局が前記端末の時間ユニットにおけるアップリンク領域及びダウンリンク領域の割り当てを決定した後に、
前記基地局は、第２の構成シグナリングを通して、前記端末の時間ユニットにおけるアップリンク領域及び/またはダウンリンク領域の割り当てを、前記端末に通知し、
前記第２の構成シグナリングは、前記時間ユニットにおけるアップリンク領域、ダウンリンク領域及びＧＰ領域のうちの少なくとも１つの領域の長さ及び位置に関する情報を運び、または、
前記第２の構成シグナリングは、前記時間ユニットにおけるアップリンク領域及び/またはダウンリンク領域の割り当てパターンを示す情報を運び、前記時間ユニットにおけるアップリンク領域及び/またはダウンリンク領域の割り当てパターンは、事前に設定された１個の時間ユニットにおけるアップリンク領域及び/またはダウンリンク領域の複数の割り当てパターンのうちの１つであり、または、
前記第２の構成シグナリングは、前記時間ユニットにおけるダウンリンク領域の開始位置または終了位置に関する情報を運び、または、
前記第２の構成シグナリングは、前記時間ユニットにおけるアップリンク領域の開始位置または終了位置に関する情報を運ぶことを特徴とする請求項９に記載のデータ伝送のための方法。
【請求項１３】
前記基地局が、端末の時間ユニットの開始位置を決定し、また、前記端末の時間ユニットにおけるアップリンク領域及びダウンリンク領域の割り当てを決定する場合、
前記基地局は、前記端末の１個の時間ユニットにおけるダウンリンク領域を、他の１個の端末の１個の時間ユニットにおけるガード期間（ＧＰ）領域またはダウンリンク領域として決定し、及び/または
前記基地局は、前記端末の１個の時間ユニットにおけるアップリンク領域を他の１個の端末の１個の時間ユニットにおけるＧＰ領域またはアップリンク領域として決定することを特徴とする請求項９に記載のデータ伝送のための方法。
【請求項１４】
前記基地局が、前記ダウンリンク伝送の所在のダウンリンク領域に対応するアップリンク領域において、前記端末のアップリンク伝送を受信する場合、
前記ダウンリンク伝送が、ダウンリンクＤＣＩフォーマットでダウンリンクＳＰＳリソース解放を示すダウンリンク制御チャネルを介する伝送である場合、前記基地局は、前記ダウンリンク制御チャネルの所在のダウンリンク領域に対応するアップリンク領域において、前記ダウンリンク制御チャネルのＡＣＫ／ＮＡＣＫフィードバックを受信し、または、
前記ダウンリンク伝送がダウンリンク共有チャネルを介する伝送である場合、前記基地局は、前記ダウンリンク共有チャネルの所在のダウンリンク領域に対応するアップリンク領域において、前記ダウンリンク共有チャネルのＡＣＫ／ＮＡＣＫフィードバックを受信し、または、
前記ダウンリンク伝送がアップリンクＤＣＩフォーマットを利用するダウンリンク制御チャネルを介する伝送である場合、前記基地局は、前記ダウンリンク制御チャネルの所在のダウンリンク領域に対応するアップリンク領域において、前記ダウンリンク制御チャネルに対応するアップリンク共有チャネルを受信することを特徴とする請求項９に記載のデータ伝送のための方法。
【請求項１５】
前記ダウンリンク伝送が、ダウンリンクＤＣＩフォーマットでダウンリンクＳＰＳリソース解放を示すダウンリンク制御チャネルを介する伝送である場合、前記ダウンリンク伝送の所在のダウンリンク領域に対応するアップリンク領域は、前記ダウンリンク制御チャネルの所在のダウンリンク領域と同一の時間ユニットにおいて事前に約定または構成されたアップリンク領域であり、または、前記ダウンリンク制御チャネル内の指示フィールドに示されたアップリンク領域であり、または、前記ダウンリンク制御チャネルの所在のダウンリンク領域の終了位置から所定時間長だけ離間したアップリンク領域であり、
または、
前記ダウンリンク伝送がダウンリンク共有チャネルを介する伝送である場合、前記ダウンリンク伝送の所在のダウンリンク領域に対応するアップリンク領域は、前記ダウンリンク共有チャネルの所在のダウンリンク領域と同一の時間ユニットにおいて事前に約定または構成されたアップリンク領域であり、または、前記ダウンリンク共有チャネルのスケジューリングシグナリング内の指示フィールドに示されたアップリンク領域であり、または、前記ダウンリンク共有チャネルの所在のダウンリンク領域の終了位置から所定時間長だけ離間したアップリンク領域であり、
または、
前記ダウンリンク伝送がアップリンクＤＣＩフォーマットを利用するダウンリンク制御チャネルを介する伝送である場合、前記ダウンリンク伝送の所在のダウンリンク領域に対応するアップリンク領域は、前記ダウンリンク制御チャネルの所在のダウンリンク領域と同一の時間ユニットにおいて事前に約定または構成されたアップリンク領域であり、または、前記ダウンリンク制御チャネルの所在のダウンリンク領域の所在の時間ユニットの後ろの時間ユニットにおいて事前に約定または構成されたアップリンク領域であり、または、前記ダウンリンク制御チャネルの指示フィールドに示されたアップリンク領域であることを特徴とする請求項１４に記載のデータ伝送のための方法。
【請求項１６】
前記時間ユニットの長さは１つ以上のスロットであり、または、
前記時間ユニットの長さは１つ以上のサブフレームであることを特徴とする請求項１０ないし請求項１５のいずれか１項に記載のデータ伝送のための方法。
【請求項１７】
異なるサービスを伝送するための時間ユニットに含まれるダウンリンク領域の数は、同じであるかまたは異なり、及び/または
異なるサービスを伝送するための時間ユニットに含まれるアップリンク領域の数は、同じであるかまたは異なることを特徴とする請求項１０ないし請求項１５のいずれか１項に記載のデータ伝送のための方法。
【請求項１８】
前記時間ユニットが少なくとも２個のダウンリンク領域を含む場合、それぞれのダウンリンク領域の長さは同じでも異なってもよく、及び/または
前記時間ユニットが少なくとも２個のアップリンク領域を含む場合、それぞれのアップリンク領域の長さは同じでも異なってもよいことを特徴とする請求項１０ないし請求項１５のいずれか１項に記載のデータ伝送のための方法。
【請求項１９】
前記端末の時間ユニットの開始位置を決定し、前記時間ユニットにおけるアップリンク領域及びダウンリンク領域の割り当てを決定するように構成される、決定ユニットと、
前記時間ユニットのダウンリンク領域において、ダウンリンク制御チャネルを検出するように構成される、検出ユニットと、
前記検出ユニットの検出結果に従い、前記ダウンリンク領域に対応するアップリンク領域において、アップリンク伝送を行うように構成される、伝送ユニットと
を備えることを特徴とする端末。
【請求項２０】
前記決定ユニットは、
第１の構成シグナリングを受信し、前記第１の構成シグナリングに従い、前記時間ユニットの開始位置を決定し、
前記第１の構成シグナリングは、前記時間ユニット所定の基準時間ユニットに対する時間オフセットを運び、または、前記第１の構成シグナリングは、前記時間ユニットの開始位置に関する情報を運ぶことを特徴とする請求項１９に記載の端末。
【請求項２１】
前記決定ユニットは、
第２の構成シグナリングを受信し、前記第２の構成シグナリングに従い、前記時間ユニットにおけるアップリンク領域及びダウンリンク領域の割り当てを決定し、または、
アップリンクスケジューリングシグナリングに従い、前記時間ユニットにおけるアップリンク領域を決定し、または、
ダウンリンク伝送のＡＣＫ／ＮＡＣＫフィードバック位置に従い、前記ＡＣＫ／ＮＡＣＫを運ぶアップリンク領域を決定し、
前記第２の構成シグナリングは、前記時間ユニットにおけるアップリンク領域、ダウンリンク領域及びガード期間（ＧＰ）領域のうちの少なくとも１つの領域の長さ及び位置に関する情報を運び、または、
前記第２の構成シグナリングは、前記時間ユニットにおけるアップリンク領域及び/またはダウンリンク領域の割り当てパターンを示す情報を運び、前記時間ユニットにおけるアップリンク領域及び/またはダウンリンク領域の割り当てパターンは、事前に設定された１個の時間ユニットにおけるアップリンク領域及び/またはダウンリンク領域の複数の割り当てパターンのうちの１つであり、または、
前記第２の構成シグナリングは、前記時間ユニットにおけるダウンリンク領域の開始位置または終了位置に関する情報を運び、または、
前記第２の構成シグナリングは、前記時間ユニットにおけるアップリンク領域の開始位置または終了位置に関する情報を運ぶことを特徴とする請求項１９に記載の端末。
【請求項２２】
前記伝送ユニットは、
アップリンクＤＣＩフォーマットを利用するダウンリンク制御チャネルが検出される場合、前記ダウンリンク制御チャネルの所在のダウンリンク領域に対応するアップリンク領域において、アップリンク共有チャネル伝送を行い、または、
ダウンリンクＤＣＩフォーマットでダウンリンクＳＰＳリソース解放を示すダウンリンク制御チャネルが検出される場合、前記ダウンリンク制御チャネルの所在のダウンリンク領域に対応するアップリンク領域において、ＡＣＫ／ＮＡＣＫフィードバックを行い、または、
ダウンリンク共有チャネルが検出される場合、前記ダウンリンク共有チャネルの所在のダウンリンク領域に対応するアップリンク領域において、ＡＣＫ／ＮＡＣＫフィードバックを行うことを特徴とする請求項１９に記載の端末。
【請求項２３】
ダウンリンクＤＣＩフォーマットでダウンリンクＳＰＳリソース解放を示すダウンリンク制御チャネルが検出される場合、前記ダウンリンク領域に対応するアップリンク領域は、前記ダウンリンク制御チャネルの所在のダウンリンク領域と同一の時間ユニットにおいて事前に約定または構成されたアップリンク領域であり、または、前記ダウンリンク制御チャネル内の指示フィールドにより決定されたアップリンク領域であり、または、前記ダウンリンク制御チャネルの所在のダウンリンク領域の終了位置から所定時間長だけ離間したアップリンク領域であり、
または、
ダウンリンク共有チャネルが検出される場合、前記ダウンリンク領域に対応するアップリンク領域は、前記ダウンリンク共有チャネルの所在のダウンリンク領域と同一の時間ユニットにおいて事前に約定または構成されたアップリンク領域であり、または、前記ダウンリンク共有チャネルのスケジューリングシグナリング内の指示フィールドにより決定されたアップリンク領域であり、または、前記ダウンリンク共有チャネルの所在のダウンリンク領域の終了位置から所定時間長だけ離間したアップリンク領域であり、
または、
アップリンクＤＣＩフォーマットを利用するダウンリンク制御チャネルが検出される場合、前記ダウンリンク領域に対応するアップリンク領域は、前記ダウンリンク制御チャネルの所在のダウンリンク領域と同一の時間ユニットにおいて事前に約定または構成されたアップリンク領域であり、または、前記ダウンリンク制御チャネルの所在のダウンリンク領域の所在の時間ユニットの後ろの時間ユニットにおいて事前に約定または構成されたアップリンク領域であり、または、前記ダウンリンク制御チャネル内の指示フィールドにより決定されたアップリンク領域であることを特徴とする請求項２２に記載の端末。
【請求項２４】
端末の時間ユニットの開始位置を決定し、また、前記端末の時間ユニットにおけるアップリンク領域及びダウンリンク領域の割り当てを決定するように構成される、決定ユニットと、
前記端末の時間ユニットのダウンリンク領域において、前記端末にダウンリンク伝送を送信するように構成される、ダウンリンク伝送ユニットと、
前記ダウンリンク伝送の所在のダウンリンク領域に対応するアップリンク領域において、前記端末のアップリンク伝送を受信するように構成される、受信ユニットと
を備えることを特徴とする基地局。
【請求項２５】
前記決定ユニットは、第１の構成シグナリングを通して、前記開始位置を前記端末に通知し、
前記第１の構成シグナリングは、所定の基準時間ユニットに対する前記端末の時間ユニットの時間オフセットを運び、または、
前記第１の構成シグナリングは、前記端末の時間ユニットの開始位置に関する情報を運ぶことを特徴とする請求項２４に記載の基地局。
【請求項２６】
第１の構成シグナリングを通して、セルの端部にある端末に対し時間ユニットの固定開始位置を構成し、前記時間ユニットの固定開始位置は、事前に定義されたまたは約定された開始位置であり、または、
第１の構成シグナリングを通して、セルの中心にある端末に対し、同じまたは異なる時間ユニットの開始位置を構成することを特徴とする請求項２４に記載の基地局。
【請求項２７】
前記決定ユニットは、
第２の構成シグナリングを通して、前記端末の時間ユニットにおけるアップリンク領域及び/またはダウンリンク領域の割り当てを、前記端末に通知し、
前記第２の構成シグナリングは、前記時間ユニットにおけるアップリンク領域、ダウンリンク領域及びガード期間（ＧＰ）領域のうちの少なくとも１つの領域の長さ及び位置に関する情報を運び、または、
前記第２の構成シグナリングは、前記時間ユニットにおけるアップリンク領域及び/またはダウンリンク領域の割り当てパターンを示す情報を運び、前記時間ユニットにおけるアップリンク領域及び/またはダウンリンク領域の割り当てパターンは、事前に設定された１個の時間ユニットにおけるアップリンク領域及び/またはダウンリンク領域の複数の割り当てパターンのうちの１つであり、または、
前記第２の構成シグナリングは、前記時間ユニットにおけるダウンリンク領域の開始位置または終了位置に関する情報を運び、または、
前記第２の構成シグナリングは、前記時間ユニットにおけるアップリンク領域の開始位置または終了位置に関する情報を運ぶことを特徴とする請求項２４に記載の基地局。
【請求項２８】
前記決定ユニットは、
前記端末の１個の時間ユニットにおけるダウンリンク領域を、他の１個の端末の１個の時間ユニットにおけるガード期間（ＧＰ）領域またはダウンリンク領域として決定し、及び/または
前記端末の１個の時間ユニットにおけるアップリンク領域を他の１個の端末の１個の時間ユニットにおけるＧＰ領域またはアップリンク領域として決定することを特徴とする請求項２４に記載の基地局。
【請求項２９】
前記受信ユニットは、
前記ダウンリンク伝送が、ダウンリンクＤＣＩフォーマットでダウンリンクＳＰＳリソース解放を示すダウンリンク制御チャネルを介する伝送である場合、前記ダウンリンク制御チャネルの所在のダウンリンク領域に対応するアップリンク領域において、前記ダウンリンク制御チャネルのＡＣＫ／ＮＡＣＫフィードバックを受信し、または、
前記ダウンリンク伝送がダウンリンク共有チャネルを介する伝送である場合、前記ダウンリンク共有チャネルの所在のダウンリンク領域に対応するアップリンク領域において、前記ダウンリンク共有チャネルのＡＣＫ／ＮＡＣＫフィードバックを受信し、または、
前記ダウンリンク伝送がアップリンクＤＣＩフォーマットを利用するダウンリンク制御チャネルを介する伝送である場合、前記ダウンリンク制御チャネルの所在のダウンリンク領域に対応するアップリンク領域において、前記ダウンリンク制御チャネルに対応するアップリンク共有チャネルを受信することを特徴とする請求項２４に記載の基地局。
【請求項３０】
前記ダウンリンク伝送が、ダウンリンクＤＣＩフォーマットでダウンリンクＳＰＳリソース解放を示すダウンリンク制御チャネルを介する伝送である場合、前記ダウンリンク伝送の所在のダウンリンク領域に対応するアップリンク領域は、前記ダウンリンク制御チャネルの所在のダウンリンク領域と同一の時間ユニットにおいて事前に約定または構成されたアップリンク領域であり、または、前記ダウンリンク制御チャネル内の指示フィールドに示されたアップリンク領域であり、または、前記ダウンリンク制御チャネルの所在のダウンリンク領域の終了位置から所定時間長だけ離間したアップリンク領域であり、
または、
前記ダウンリンク伝送がダウンリンク共有チャネルを介する伝送である場合、前記ダウンリンク伝送の所在のダウンリンク領域に対応するアップリンク領域は、前記ダウンリンク共有チャネルの所在のダウンリンク領域と同一の時間ユニットにおいて事前に約定または構成されたアップリンク領域であり、または、前記ダウンリンク共有チャネルのスケジューリングシグナリング内の指示フィールドに示されたアップリンク領域であり、または、前記ダウンリンク共有チャネルの所在のダウンリンク領域の終了位置から所定時間長だけ離間したアップリンク領域であり、
または、
前記ダウンリンク伝送がアップリンクＤＣＩフォーマットを利用するダウンリンク制御チャネルを介する伝送である場合、前記ダウンリンク伝送の所在のダウンリンク領域に対応するアップリンク領域は、前記ダウンリンク制御チャネルの所在のダウンリンク領域と同一の時間ユニットにおいて事前に約定または構成されたアップリンク領域であり、または、前記ダウンリンク制御チャネルの所在のダウンリンク領域の所在の時間ユニットの後ろの時間ユニットにおいて事前に約定または構成されたアップリンク領域であり、または、前記ダウンリンク制御チャネルの指示フィールドに示されたアップリンク領域であることを特徴とする請求項２９に記載の基地局。
【請求項３１】
前記端末プロセッサの制御下でデータを送受信するように構成される送受信機と、前記送受信機と接続され少なくとも１つのプロセッサとを備え、
前記プロセッサは、メモリに格納されたプログラムを読み出し、
前記端末の時間ユニットの開始位置を決定し、前記時間ユニットにおけるアップリンク領域及びダウンリンク領域の割り当てを決定し、前記時間ユニットのダウンリンク領域において、ダウンリンク制御チャネルを検出し、及び、前記検出ユニットの検出結果に従い、送受信機を通して前記ダウンリンク領域に対応するアップリンク領域において、アップリンク伝送を行うことを特徴とする端末。
【請求項３２】
前記プロセッサは、
送受信機を通して第１の構成シグナリングを受信し、前記第１の構成シグナリングに従い、前記時間ユニットの開始位置を決定し、
前記第１の構成シグナリングは、前記時間ユニット所定の基準時間ユニットに対する時間オフセットを運び、または、前記第１の構成シグナリングは、前記時間ユニットの開始位置に関する情報を運ぶことを特徴とする請求項３１に記載の端末。
【請求項３３】
前記プロセッサは、
送受信機を通して第２の構成シグナリングを受信し、前記第２の構成シグナリングに従い、前記時間ユニットにおけるアップリンク領域及びダウンリンク領域の割り当てを決定し、または、
アップリンクスケジューリングシグナリングに従い、前記時間ユニットにおけるアップリンク領域を決定し、または、
ダウンリンク伝送のＡＣＫ／ＮＡＣＫフィードバック位置に従い、前記ＡＣＫ／ＮＡＣＫを運ぶアップリンク領域を決定し、
前記第２の構成シグナリングは、前記時間ユニットにおけるアップリンク領域、ダウンリンク領域及びＧＰ領域のうちの少なくとも１つの領域の長さ及び位置に関する情報を運び、または、
前記第２の構成シグナリングは、前記時間ユニットにおけるアップリンク領域及び/またはダウンリンク領域の割り当てパターンを示す情報を運び、前記時間ユニットにおけるアップリンク領域及び/またはダウンリンク領域の割り当てパターンは、事前に設定された１個の時間ユニットにおけるアップリンク領域及び/またはダウンリンク領域の複数の割り当てパターンのうちの１つであり、または、
前記第２の構成シグナリングは、前記時間ユニットにおけるダウンリンク領域の開始位置または終了位置に関する情報を運び、または、
前記第２の構成シグナリングは、前記時間ユニットにおけるアップリンク領域の開始位置または終了位置に関する情報を運ぶことを特徴とする請求項３１に記載の端末。
【請求項３４】
前記プロセッサは、
アップリンクＤＣＩフォーマットを利用するダウンリンク制御チャネルが検出される場合、送受信機を通して、前記ダウンリンク制御チャネルの所在のダウンリンク領域に対応するアップリンク領域において、アップリンク共有チャネル伝送を行い、または、
ダウンリンクＤＣＩフォーマットでダウンリンクＳＰＳリソース解放を示すダウンリンク制御チャネルが検出される場合、送受信機を通して、前記ダウンリンク制御チャネルの所在のダウンリンク領域に対応するアップリンク領域において、ＡＣＫ／ＮＡＣＫフィードバックを行い、または、
ダウンリンク共有チャネルが検出される場合、送受信機を通して前記ダウンリンク共有チャネルの所在のダウンリンク領域に対応するアップリンク領域において、ＡＣＫ／ＮＡＣＫフィードバックを行うことを特徴とする請求項３１に記載の端末。
【請求項３５】
ダウンリンクＤＣＩフォーマットでダウンリンクＳＰＳリソース解放を示すダウンリンク制御チャネルが検出される場合、前記ダウンリンク領域に対応するアップリンク領域は、前記ダウンリンク制御チャネルの所在のダウンリンク領域と同一の時間ユニットにおいて事前に約定または構成されたアップリンク領域であり、または、前記ダウンリンク制御チャネル内の指示フィールドにより決定されたアップリンク領域であり、または、前記ダウンリンク制御チャネルの所在のダウンリンク領域の終了位置から所定時間長だけ離間したアップリンク領域であり、
または、
ダウンリンク共有チャネルが検出される場合、前記ダウンリンク領域に対応するアップリンク領域は、前記ダウンリンク共有チャネルの所在のダウンリンク領域と同一の時間ユニットにおいて事前に約定または構成されたアップリンク領域であり、または、前記ダウンリンク共有チャネルのスケジューリングシグナリング内の指示フィールドにより決定されたアップリンク領域であり、または、前記ダウンリンク共有チャネルの所在のダウンリンク領域の終了位置から所定時間長だけ離間したアップリンク領域であり、
または、
アップリンクＤＣＩフォーマットを利用するダウンリンク制御チャネルが検出される場合、前記ダウンリンク領域に対応するアップリンク領域は、前記ダウンリンク制御チャネルの所在のダウンリンク領域と同一の時間ユニットにおいて事前に約定または構成されたアップリンク領域であり、または、前記ダウンリンク制御チャネルの所在のダウンリンク領域の所在の時間ユニットの後ろの時間ユニットにおいて事前に約定または構成されたアップリンク領域であり、または、前記ダウンリンク制御チャネル内の指示フィールドにより決定されたアップリンク領域であることを特徴とする請求項３４に記載の端末。
【請求項３６】
前記基地局プロセッサの制御下でデータを送受信するように構成される送受信機と、前記送受信機と接続され少なくとも１つのプロセッサとを備え、
前記プロセッサは、メモリに格納されたプログラムを読み出し、
端末の時間ユニットの開始位置を決定し、また、前記端末の時間ユニットにおけるアップリンク領域及びダウンリンク領域の割り当てを決定し、前記端末の時間ユニットのダウンリンク領域において、送受信機を通して、前記端末にダウンリンク伝送を送信し、前記ダウンリンク伝送の所在のダウンリンク領域に対応するアップリンク領域において、送受信機を通して、前記端末のアップリンク伝送を受信することを特徴とする基地局。
【請求項３７】
前記プロセッサは、
第１の構成シグナリングを通して、前記開始位置を前記端末に通知し、
前記第１の構成シグナリングは、所定の基準時間ユニットに対する前記端末の時間ユニットの時間オフセットを運び、または、
前記第１の構成シグナリングは、前記端末の時間ユニットの開始位置に関する情報を運ぶことを特徴とする請求項３６に記載の基地局。
【請求項３８】
第１の構成シグナリングを通して、セルの端部にある端末に対し時間ユニットの固定開始位置を構成し、前記時間ユニットの固定開始位置は、事前に定義されたまたは約定された開始位置であり、または、
第１の構成シグナリングを通して、セルの中心にある端末に対し、同じまたは異なる時間ユニットの開始位置を構成することを特徴とする請求項３６に記載の基地局。
【請求項３９】
前記プロセッサは、
第２の構成シグナリングを通して、前記端末の時間ユニットにおけるアップリンク領域及び/またはダウンリンク領域の割り当てを、前記端末に通知し、
前記第２の構成シグナリングは、前記時間ユニットにおけるアップリンク領域、ダウンリンク領域及びＧＰ領域のうちの少なくとも１つの領域の長さ及び位置に関する情報を運び、または、
前記第２の構成シグナリングは、前記時間ユニットにおけるアップリンク領域及び/またはダウンリンク領域の割り当てパターンを示す情報を運び、前記時間ユニットにおけるアップリンク領域及び/またはダウンリンク領域の割り当てパターンは、事前に設定された１個の時間ユニットにおけるアップリンク領域及び/またはダウンリンク領域の複数の割り当てパターンのうちの１つであり、または、
前記第２の構成シグナリングは、前記時間ユニットにおけるダウンリンク領域の開始位置または終了位置に関する情報を運び、または、
前記第２の構成シグナリングは、前記時間ユニットにおけるアップリンク領域の開始位置または終了位置に関する情報を運ぶことを特徴とする請求項３６に記載の基地局。
【請求項４０】
前記プロセッサは、
前記端末の１個の時間ユニットにおけるダウンリンク領域を他の１個の端末の１個の時間ユニットにおけるＧＰ領域またはダウンリンク領域として決定し、及び/または
前記端末の１個の時間ユニットにおけるアップリンク領域を他の１個の端末の１個の時間ユニットにおけるＧＰ領域またはアップリンク領域として決定することを特徴とする請求項３６に記載の基地局。
【請求項４１】
前記ダウンリンク伝送が、ダウンリンクＤＣＩフォーマットでダウンリンクＳＰＳリソース解放を示すダウンリンク制御チャネルを介する伝送である場合、前記ダウンリンク制御チャネルの所在のダウンリンク領域に対応するアップリンク領域において、送受信機を通して、前記ダウンリンク制御チャネルのＡＣＫ／ＮＡＣＫフィードバックを受信し、または、
前記ダウンリンク伝送がダウンリンク共有チャネルを介する伝送である場合、前記ダウンリンク共有チャネルの所在のダウンリンク領域に対応するアップリンク領域において、送受信機を通して、前記ダウンリンク共有チャネルのＡＣＫ／ＮＡＣＫフィードバックを受信し、または、
前記ダウンリンク伝送がアップリンクＤＣＩフォーマットを利用するダウンリンク制御チャネルを介する伝送である場合、前記ダウンリンク制御チャネルの所在のダウンリンク領域に対応するアップリンク領域において、送受信機を通して、前記ダウンリンク制御チャネルに対応するアップリンク共有チャネルを受信することを特徴とする請求項３６に記載の基地局。
【請求項４２】
前記ダウンリンク伝送が、ダウンリンクＤＣＩフォーマットでダウンリンクＳＰＳリソース解放を示すダウンリンク制御チャネルを介する伝送である場合、前記ダウンリンク伝送の所在のダウンリンク領域に対応するアップリンク領域は、前記ダウンリンク制御チャネルの所在のダウンリンク領域と同一の時間ユニットにおいて事前に約定または構成されたアップリンク領域であり、または、前記ダウンリンク制御チャネル内の指示フィールドに示されたアップリンク領域であり、または、前記ダウンリンク制御チャネルの所在のダウンリンク領域の終了位置から所定時間長だけ離間したアップリンク領域であり、
または、
前記ダウンリンク伝送がダウンリンク共有チャネルを介する伝送である場合、前記ダウンリンク伝送の所在のダウンリンク領域に対応するアップリンク領域は、前記ダウンリンク共有チャネルの所在のダウンリンク領域と同一の時間ユニットにおいて事前に約定または構成されたアップリンク領域であり、または、前記ダウンリンク共有チャネルのスケジューリングシグナリング内の指示フィールドに示されたアップリンク領域であり、または、前記ダウンリンク共有チャネルの所在のダウンリンク領域の終了位置から所定時間長だけ離間したアップリンク領域であり、
または、
前記ダウンリンク伝送がアップリンクＤＣＩフォーマットを利用するダウンリンク制御チャネルを介する伝送である場合、前記ダウンリンク伝送の所在のダウンリンク領域に対応するアップリンク領域は、前記ダウンリンク制御チャネルの所在のダウンリンク領域と同一の時間ユニットにおいて事前に約定または構成されたアップリンク領域であり、または、前記ダウンリンク制御チャネルの所在のダウンリンク領域の所在の時間ユニットの後ろの時間ユニットにおいて事前に約定または構成されたアップリンク領域であり、または、前記ダウンリンク制御チャネルの指示フィールドに示されたアップリンク領域であることを特徴とする請求項４１に記載の基地局。
【発明の詳細な説明】
【技術分野】
【０００１】
本出願は、２０１６年９月２３日に中国特許局に提出し、出願番号が２０１６１０８４９７１０．０であり、発明の名称が「データ伝送のための方法及び装置」との中国特許出願を基礎とする優先権を主張し、その開示のすべてをここに取り込む。
【０００２】
本発明は通信技術分野に関し、特にデータ伝送のための方法及び装置に関する。
【背景技術】
【０００３】
既存のロングタームエボリューション（ｌｏｎｇ Ｔｅｒｍ Ｅｖｏｌｕｔｉｏｎ， ＬＴＥ）システムは、時分割複信（Ｔｉｍｅ Ｄｉｖｉｓｉｏｎ Ｄｕｐｌｅｘ， ＴＤＤ）に対して、図１に示すようにフレーム構造２（ＦＳ２）を定義した。アップリンク及びダウンリンク伝送に同じ周波数上の異なるサブフレームまたは異なるスロットを利用する。各１０ｍｓ無線フレームは２つの５ｍｓハーフフレームを含み、各ハーフフレームは１ｍｓの長さを有する５つのサブフレームを含む。ＦＳ２内のサブフレームは、ダウンリンクサブフレーム、アップリンクサブフレーム、及び特殊サブフレームに分類され、各特殊サブフレームは、ダウンリンクパイロットタイムスロット（Ｄｏｗｎｌｉｎｋ Ｐｉｌｏｔ Ｔｉｍｅ Ｓｌｏｔ，ＤｗＰＴＳ）、ガード期間（Ｇｕａｒｄ Ｐｅｒｉｏｄ，ＧＰ）、及びサブパイロットフレームを含む。アップリンクパイロットタイムスロット（Ｕｐｌｉｎｋ Ｐｉｌｏｔ Ｔｉｍｅ Ｓｌｏｔ，ＵｐＰＴＳ）により構成される。各ハーフフレームは、少なくとも１つのダウンリンクサブフレーム、少なくとも１つのアップリンクサブフレーム、及び最大で１つの特殊サブフレームを含む。表１に示される７つのＴＤＤＵＬ/ＤＬ構成、及び表２に示される１０つの特別なサブフレーム構造が、異なるダウンリンクからアップリンクへのスイッチング周期及びＵＬ/ＤＬ割り当て比率に対して定義される。
【０００４】
【表１】
2019533361.tif 000003
【０００５】
【表２】
2019533361.tif 000004
【０００６】
ここで、ＴＳはシステム内のサンプリング時間間隔であり、Ｘは事前定義または事前設定された値である。
【０００７】
ＬＴＥシステムでは、上記のＴＤＤフレーム構造を定義することによってＵＬ/ＤＬリソースが割り当てられるので、ＬＴＥセルの場合、１つのＴＤＤフレーム構造しか構成できず、ＵＬ/ＤＬリソースの固定割り当てのみがサポートされる。セル内でブロードキャストされたシステム情報を介して割り当てが通知されるので、割り当ては固定され、セル内のすべてのＵＥ間で共有される。
【０００８】
さらに、ＬＴＥシステムでは、アップリンクリソースとダウンリンクリソースとの間にＧＰを構成することにより、同一セル内でのアップリンクとダウンリンクとの干渉を回避し、ダウンリンクからアップリンクに切り替えることができる。ＧＰは、各ＴＤＤＵＬ/ＤＬ構成内の特殊サブフレームにのみ存在し、ＧＰの長さは特殊サブフレーム構成によって決定される。特殊サブフレーム構成は、特殊サブフレーム内のダウンリンクリソース（ＤｗＰＴＳ部分）、アップリンクリソース（ＵｐＰＴＳ部分）及びＧＰ部分の長さの割り当てに対応する。特殊サブフレーム構成は、セル内でブロードキャストされるシステム情報を介してセル内でも通知されるので、セル内のすべてのＵＥ間で固定され共有される。
【０００９】
移動体通信サービスに対する需要が高まるにつれて、国際電気通信連合（Ｉｎｔｅｒｎａｔｉｏｎａｌ Ｔｅｌｅｃｏｍｍｕｎｉｃａｔｉｏｎ Ｕｎｉｏｎ，ＩＴＵ）、第３世代パートナーシッププロジェクト（３ｒｄ Ｇｅｎｅｒａｔｉｏｎ ｐａｒｔｎｅｒｓｈｉｐ ｐｒｏｊｅｃｔ，３ＧＰＰ）、及び他の組織が新たな無線通信システム（例えば、５Ｇシステム）研究を行うようになる。新しい無線通信システムは、様々な共存するタイプのサービス、例えば、拡張モバイルブロードバンド（Ｅｎｈａｎｃｅｄ Ｍｏｂｉｌｅ Ｂｒｏａｄｂａｎｄ，ｅＭＢＢ）サービス、超高信頼性及び低遅延通信（Ｕｌｔｒａ Ｒｅｌｉａｂｌｅ ＆ Ｌｏｗ Ｌａｔｅｎｃｙ Ｃｏｍｍｕｎｉｃａｔｉｏｎ，ＵＲＬＬＣ）サービス、大規模機械タイプ通信（Ｍａｓｓｉｖｅ Ｍａｃｈｉｎｅ Ｔｙｐｅ Ｃｏｍｍｕｎｉｃａｔｉｏｎ，ｍＭＴＣ）サービスなどをサポートすることができる。同じサービスのトラフィック量も異なる場合がある。ＵＬ/ＤＬトラフィックが時分割多重（Ｔｉｍｅ Ｄｉｖｉｓｉｏｎ Ｍｕｌｔｉｐｌｅｘｉｎｇ，ＴＤＭ）モードで同じ周波数リソースを共有する場合、異なるタイプのサービスとトラフィック量の要求をサポートするために、柔軟で多様なリソース割り当てがサポートされなければならない。
【００１０】
現在、新たな無線通信システムで、動的に割り当てられたアップリンク及びダウンリンクリソースを介してデータを送信するための関連する解決策はこれまで存在しなかった。
【発明の概要】
【発明が解決しようとする課題】
【００１１】
本発明の実施例に係るデータ伝送のための方法及び装置を提供し、新たな無線通信システムで、動的に割り当てられたアップリンク及びダウンリンクリソースを介してデータを送信するための関連する解決策が存在しなかった従来の問題点を解決した。
【課題を解決するための手段】
【００１２】
第１の態様によれば、本発明の実施例に係るデータ伝送のための方法は、
端末は、前記端末の時間ユニットの開始位置を決定し、前記時間ユニットにおけるアップリンク領域及びダウンリンク領域の割り当てを決定するステップと、
前記端末は、前記時間ユニットのダウンリンク領域において、ダウンリンク制御チャネルを検出するステップと、
前記端末は、検出結果に従い、前記ダウンリンク領域に対応するアップリンク領域において、アップリンク伝送を行うステップとを備える。
【００１３】
オプションとして、前記端末が、前記端末の時間ユニットの開始位置を決定する場合、
前記端末は、第１の構成シグナリングを受信し、前記第１の構成シグナリングに従い、前記時間ユニットの開始位置を決定し、
ここで、前記第１の構成シグナリングは、前記時間ユニット所定の基準時間ユニットに対する時間オフセットを運び、または、前記第１の構成シグナリングは、前記時間ユニットの開始位置に関する情報を運ぶ。
【００１４】
オプションとして、前記端末が、前記時間ユニットにおけるアップリンク領域及びダウンリンク領域の割り当てを決定する場合、
前記端末は、第２の構成シグナリングを受信し、前記第２の構成シグナリングに従い、前記時間ユニットにおけるアップリンク領域及びダウンリンク領域の割り当てを決定し、または、
前記端末アップリンクスケジューリングシグナリングに従い、前記時間ユニットにおけるアップリンク領域を決定し、または、
前記端末ダウンリンク伝送のＡＣＫ／ＮＡＣＫフィードバック位置に従い、前記ＡＣＫ／ＮＡＣＫを運ぶアップリンク領域を決定し、
前記第２の構成シグナリングは、前記時間ユニットにおけるアップリンク領域、ダウンリンク領域及びＧＰ領域のうちの少なくとも１つの領域の長さ及び位置に関する情報を運び、または、
前記第２の構成シグナリングは、前記時間ユニットにおけるアップリンク領域及び/またはダウンリンク領域の割り当てパターンを示す情報を運び、前記時間ユニットにおけるアップリンク領域及び/またはダウンリンク領域の割り当てパターンは、事前に設定された１個の時間ユニットにおけるアップリンク領域及び/またはダウンリンク領域の複数の割り当てパターンのうちの１つであり、または、
前記第２の構成シグナリングは、前記時間ユニットにおけるダウンリンク領域の開始位置または終了位置に関する情報を運び、または、
前記第２の構成シグナリングは、前記時間ユニットにおけるアップリンク領域の開始位置または終了位置に関する情報を運ぶ。
【００１５】
オプションとして、前記端末が、検出結果に従い、前記ダウンリンク領域に対応するアップリンク領域において、アップリンク伝送を行う場合、
アップリンクＤＣＩフォーマットを利用するダウンリンク制御チャネルが検出される場合、前記端末は、前記ダウンリンク制御チャネルの所在のダウンリンク領域に対応するアップリンク領域において、アップリンク共有チャネル伝送を行い、または、
ダウンリンクＤＣＩフォーマットでダウンリンクＳＰＳリソース解放を示すダウンリンク制御チャネルが検出される場合、前記端末は、前記ダウンリンク制御チャネルの所在のダウンリンク領域に対応するアップリンク領域において、ＡＣＫ／ＮＡＣＫフィードバックを行い、または、
ダウンリンク共有チャネルが検出される場合、前記端末は、前記ダウンリンク共有チャネルの所在のダウンリンク領域に対応するアップリンク領域において、ＡＣＫ／ＮＡＣＫフィードバックを行う。
【００１６】
オプションとして、ダウンリンクＤＣＩフォーマットでダウンリンクＳＰＳリソース解放を示すダウンリンク制御チャネルが検出される場合、前記ダウンリンク領域に対応するアップリンク領域は、前記ダウンリンク制御チャネルの所在のダウンリンク領域と同一の時間ユニットにおいて事前に約定または構成されたアップリンク領域であり、または、前記ダウンリンク制御チャネル内の指示フィールドにより決定されたアップリンク領域であり、または、前記ダウンリンク制御チャネルの所在のダウンリンク領域の終了位置から所定時間長だけ離間したアップリンク領域であり、
または、
ダウンリンク共有チャネルが検出される場合、前記ダウンリンク領域に対応するアップリンク領域は、前記ダウンリンク共有チャネルの所在のダウンリンク領域と同一の時間ユニットにおいて事前に約定または構成されたアップリンク領域であり、または、前記ダウンリンク共有チャネルのスケジューリングシグナリング内の指示フィールドにより決定されたアップリンク領域であり、または、前記ダウンリンク共有チャネルの所在のダウンリンク領域の終了位置から所定時間長だけ離間したアップリンク領域であり、
または、
アップリンクＤＣＩフォーマットを利用するダウンリンク制御チャネルが検出される場合、前記ダウンリンク領域に対応するアップリンク領域は、前記ダウンリンク制御チャネルの所在のダウンリンク領域と同一の時間ユニットにおいて事前に約定または構成されたアップリンク領域であり、または、前記ダウンリンク制御チャネルの所在のダウンリンク領域の所在の時間ユニットの後ろの時間ユニットにおいて事前に約定または構成されたアップリンク領域であり、または、前記ダウンリンク制御チャネル内の指示フィールドにより決定されたアップリンク領域である。
【００１７】
オプションとして、前記時間ユニットは１つ以上のスロットであり、または、
前記時間ユニットは１つ以上のサブフレームである。
【００１８】
オプションとして、異なるサービスを伝送するための時間ユニットに含まれるダウンリンク領域の数は、同じであるかまたは異なり、及び/または
異なるサービスを伝送するための時間ユニットに含まれるアップリンク領域の数は、同じであるかまたは異なる。
【００１９】
オプションとして、前記時間ユニットが少なくとも２個のダウンリンク領域を含む場合、それぞれのダウンリンク領域の長さは同じでも異なってもよく、及び/または
前記時間ユニットが少なくとも２個のアップリンク領域を含む場合、それぞれのアップリンク領域の長さは同じでも異なってもよい。
【００２０】
第２の態様によれば、本発明の実施例に係るデータ伝送のための方法は、
基地局は、端末の時間ユニットの開始位置を決定し、また、前記端末の時間ユニットにおけるアップリンク領域及びダウンリンク領域の割り当てを決定するステップと、
前記基地局は、前記端末の時間ユニットのダウンリンク領域において、前記端末にダウンリンク伝送を送信するステップと、
前記基地局は、前記ダウンリンク伝送の所在のダウンリンク領域に対応するアップリンク領域において、前記端末のアップリンク伝送を受信するステップとを備える。
【００２１】
ここで、時間ユニットは、第１の態様の記載を参考されたく、繰り返して説明しない。前記ダウンリンク伝送の所在のダウンリンク領域に対応するアップリンク領域は、第１の態様の記載を参考されたく、繰り返して説明しない。
【００２２】
オプションとして、前記基地局が端末の時間ユニットの開始位置を決定した後に、前記基地局は、第１の構成シグナリングを通して、前記開始位置を前記端末に通知し、
前記第１の構成シグナリングは、所定の基準時間ユニットに対する前記端末の時間ユニットの時間オフセットを運び、または、
前記第１の構成シグナリングは、前記端末の時間ユニットの開始位置に関する情報を運ぶ。
【００２３】
オプションとして、前記基地局は、第１の構成シグナリングを通して、セルの端部にある端末に対し時間ユニットの固定開始位置を構成し、前記時間ユニットの固定開始位置は、事前に定義されたまたは約定された開始位置であり、または、
前記基地局は、第１の構成シグナリングを通して、セルの中心にある端末に対し、同じまたは異なる時間ユニットの開始位置を構成する。
【００２４】
オプションとして、前記基地局が前記端末の時間ユニットにおけるアップリンク領域及びダウンリンク領域の割り当てを決定した後に、
前記基地局は、第２の構成シグナリングを通して、前記端末の時間ユニットにおけるアップリンク領域及び/またはダウンリンク領域の割り当てを、前記端末に通知し、
ここで、前記第２の構成シグナリングは、前記時間ユニットにおけるアップリンク領域、ダウンリンク領域及びＧＰ領域のうちの少なくとも１つの領域の長さ及び位置に関する情報を運び、または、
前記第２の構成シグナリングは、前記時間ユニットにおけるアップリンク領域及び/またはダウンリンク領域の割り当てパターンを示す情報を運び、前記時間ユニットにおけるアップリンク領域及び/またはダウンリンク領域の割り当てパターンは、事前に設定された１個の時間ユニットにおけるアップリンク領域及び/またはダウンリンク領域の複数の割り当てパターンのうちの１つであり、または、
前記第２の構成シグナリングは、前記時間ユニットにおけるダウンリンク領域の開始位置または終了位置に関する情報を運び、または、
前記第２の構成シグナリングは、前記時間ユニットにおけるアップリンク領域の開始位置または終了位置に関する情報を運ぶ。
【００２５】
オプションとして、前記基地局が、端末の時間ユニットの開始位置を決定し、また、前記端末の時間ユニットにおけるアップリンク領域及びダウンリンク領域の割り当てを決定する場合、
前記基地局は、前記端末の１個の時間ユニットにおけるダウンリンク領域を他の１個の端末の１個の時間ユニットにおけるＧＰ領域またはダウンリンク領域として決定し、及び/または
前記基地局は、前記端末の１個の時間ユニットにおけるアップリンク領域を他の１個の端末の１個の時間ユニットにおけるＧＰ領域またはアップリンク領域として決定する。
【００２６】
オプションとして、前記基地局が、前記ダウンリンク伝送の所在のダウンリンク領域に対応するアップリンク領域において、前記端末のアップリンク伝送を受信する場合、
前記ダウンリンク伝送が、ダウンリンクＤＣＩフォーマットでダウンリンクＳＰＳリソース解放を示すダウンリンク制御チャネルを介する伝送である場合、前記基地局は、前記ダウンリンク制御チャネルの所在のダウンリンク領域に対応するアップリンク領域において、前記ダウンリンク制御チャネルのＡＣＫ／ＮＡＣＫフィードバックを受信し、または、
前記ダウンリンク伝送がダウンリンク共有チャネルを介する伝送である場合、前記基地局は、前記ダウンリンク共有チャネルの所在のダウンリンク領域に対応するアップリンク領域において、前記ダウンリンク共有チャネルのＡＣＫ／ＮＡＣＫフィードバックを受信し、または、
前記ダウンリンク伝送がアップリンクＤＣＩフォーマットを利用するダウンリンク制御チャネルを介する伝送である場合、前記基地局は、前記ダウンリンク制御チャネルの所在のダウンリンク領域に対応するアップリンク領域において、前記ダウンリンク制御チャネルに対応するアップリンク共有チャネルを受信する。
【００２７】
第３の態様によれば、本発明に係る実施例は、第１の態様による方法を実行するように構成された実行可能プログラムコードを格納するコンピュータ可読記憶媒体を提供する。
【００２８】
第４の態様によれば、本発明に係る実施例は、第２の態様による方法を実行するように構成された実行可能プログラムコードを格納するコンピュータ可読記憶媒体を提供する。
【００２９】
第５の態様によれば、本発明の実施例に係る端末は、
前記端末の時間ユニットの開始位置を決定し、前記時間ユニットにおけるアップリンク領域及びダウンリンク領域の割り当てを決定するように構成される、決定ユニットと、
前記時間ユニットのダウンリンク領域において、ダウンリンク制御チャネルを検出するように構成される、検出ユニットと、
前記検出ユニットの検出結果に従い、前記ダウンリンク領域に対応するアップリンク領域において、アップリンク伝送を行うように構成される、伝送ユニットとを備える。
【００３０】
ここで、時間ユニットは、第１の態様の記載を参照すればよく、繰り返して説明しない。前記ダウンリンク伝送の所在のダウンリンク領域に対応するアップリンク領域は、態様の記載を参照すればよく、繰り返して説明しない。
【００３１】
オプションとして、前記決定ユニットは、
第１の構成シグナリングを受信し、前記第１の構成シグナリングに従い、前記時間ユニットの開始位置を決定し、
ここで、前記第１の構成シグナリングは、前記時間ユニット所定の基準時間ユニットに対する時間オフセットを運び、または、前記第１の構成シグナリングは、前記時間ユニットの開始位置に関する情報を運ぶ。
【００３２】
オプションとして、前記決定ユニットは、
第２の構成シグナリングを受信し、前記第２の構成シグナリングに従い、前記時間ユニットにおけるアップリンク領域及びダウンリンク領域の割り当てを決定し、または、
アップリンクスケジューリングシグナリングに従い、前記時間ユニットにおけるアップリンク領域を決定し、または、
ダウンリンク伝送のＡＣＫ／ＮＡＣＫフィードバック位置に従い、前記ＡＣＫ／ＮＡＣＫを運ぶアップリンク領域を決定し、
前記第２の構成シグナリングは、前記時間ユニットにおけるアップリンク領域、ダウンリンク領域及びＧＰ領域のうちの少なくとも１つの領域の長さ及び位置に関する情報を運び、または、
前記第２の構成シグナリングは、前記時間ユニットにおけるアップリンク領域及び/またはダウンリンク領域の割り当てパターンを示す情報を運び、前記時間ユニットにおけるアップリンク領域及び/またはダウンリンク領域の割り当てパターンは、事前に設定された１個の時間ユニットにおけるアップリンク領域及び/またはダウンリンク領域の複数の割り当てパターンのうちの１つであり、または、
前記第２の構成シグナリングは、前記時間ユニットにおけるダウンリンク領域の開始位置または終了位置に関する情報を運び、または、
前記第２の構成シグナリングは、前記時間ユニットにおけるアップリンク領域の開始位置または終了位置に関する情報を運ぶ。
【００３３】
オプションとして、前記伝送ユニットは、
アップリンクＤＣＩフォーマットを利用するダウンリンク制御チャネルが検出される場合、前記ダウンリンク制御チャネルの所在のダウンリンク領域に対応するアップリンク領域において、アップリンク共有チャネル伝送を行い、または、
ダウンリンクＤＣＩフォーマットでダウンリンクＳＰＳリソース解放を示すダウンリンク制御チャネルが検出される場合、前記ダウンリンク制御チャネルの所在のダウンリンク領域に対応するアップリンク領域において、ＡＣＫ／ＮＡＣＫフィードバックを行い、または、
ダウンリンク共有チャネルが検出される場合、前記ダウンリンク共有チャネルの所在のダウンリンク領域に対応するアップリンク領域において、ＡＣＫ／ＮＡＣＫフィードバックを行う。
【００３４】
第６の態様によれば、本発明の実施例に係る他の端末は、プロセッサの制御下でデータを送受信するように構成される送受信機と、当該送受信機と接続され少なくとも１つのプロセッサとを備え、
前記プロセッサは、メモリに格納されたプログラムを読み出し、
前記端末の時間ユニットの開始位置を決定し、前記時間ユニットにおけるアップリンク領域及びダウンリンク領域の割り当てを決定し、前記時間ユニットのダウンリンク領域において、ダウンリンク制御チャネルを検出し、及び、前記検出ユニットの検出結果に従い、前記送受信機を介して、前記ダウンリンク領域に対応するアップリンク領域において、アップリンク伝送を行る。
【００３５】
ここで、時間ユニットは、第１の態様の関連記載を参照すればよく、繰り返して説明しない。前記ダウンリンク伝送の所在のダウンリンク領域に対応するアップリンク領域は、態様の関連記載を参照すればよく、繰り返して説明しない。
【００３６】
オプションとして、前記プロセッサは、前記メモリに格納されたプログラムを読み出し、
前記送受信機を介して、第１の構成シグナリングを受信し、前記第１の構成シグナリングに従い、前記時間ユニットの開始位置を決定し、
ここで、前記第１の構成シグナリングは、前記時間ユニット所定の基準時間ユニットに対する時間オフセットを運び、または、前記第１の構成シグナリングは、前記時間ユニットの開始位置に関する情報を運ぶ。
【００３７】
オプションとして、前記プロセッサは、前記メモリに格納されたプログラムを読み出し、
前記送受信機を介して、第２の構成シグナリングを受信し、前記第２の構成シグナリングに従い、前記時間ユニットにおけるアップリンク領域及びダウンリンク領域の割り当てを決定し、または、
アップリンクスケジューリングシグナリングに従い、前記時間ユニットにおけるアップリンク領域を決定し、または、
ダウンリンク伝送のＡＣＫ／ＮＡＣＫフィードバック位置に従い、前記ＡＣＫ／ＮＡＣＫを運ぶアップリンク領域を決定し、
前記第２の構成シグナリングは、前記時間ユニットにおけるアップリンク領域、ダウンリンク領域及びＧＰ領域のうちの少なくとも１つの領域の長さ及び位置に関する情報を運び、または、
前記第２の構成シグナリングは、前記時間ユニットにおけるアップリンク領域及び/またはダウンリンク領域の割り当てパターンを示す情報を運び、前記時間ユニットにおけるアップリンク領域及び/またはダウンリンク領域の割り当てパターンは、事前に設定された１個の時間ユニットにおけるアップリンク領域及び/またはダウンリンク領域の複数の割り当てパターンのうちの１つであり、または、
前記第２の構成シグナリングは、前記時間ユニットにおけるダウンリンク領域の開始位置または終了位置に関する情報を運び、または、
前記第２の構成シグナリングは、前記時間ユニットにおけるアップリンク領域の開始位置または終了位置に関する情報を運ぶ。
【００３８】
オプションとして、前記プロセッサは、前記メモリに格納されたプログラムを読み出し、
アップリンクＤＣＩフォーマットを利用するダウンリンク制御チャネルが検出される場合、前記送受信機を介して、前記ダウンリンク制御チャネルの所在のダウンリンク領域に対応するアップリンク領域において、アップリンク共有チャネル伝送を行い、または、
ダウンリンクＤＣＩフォーマットでダウンリンクＳＰＳリソース解放を示すダウンリンク制御チャネルが検出される場合、前記送受信機を介して、前記ダウンリンク制御チャネルの所在のダウンリンク領域に対応するアップリンク領域において、ＡＣＫ／ＮＡＣＫフィードバックを行い、または、
ダウンリンク共有チャネルが検出される場合、前記送受信機を介して、前記ダウンリンク共有チャネルの所在のダウンリンク領域に対応するアップリンク領域において、ＡＣＫ／ＮＡＣＫフィードバックを行う。
【００３９】
第７の態様によれば、本発明実施例に係る基地局は、
端末の時間ユニットの開始位置を決定し、また、前記端末の時間ユニットにおけるアップリンク領域及びダウンリンク領域の割り当てを決定するように構成される、決定ユニットと、
前記端末の時間ユニットのダウンリンク領域において、前記端末にダウンリンク伝送を送信するように構成される、ダウンリンク伝送ユニットと、
前記ダウンリンク伝送の所在のダウンリンク領域に対応するアップリンク領域において、前記端末のアップリンク伝送を受信するように構成される、受信ユニットとを備える。
【００４０】
ここで、時間ユニットは、第１の態様の関連記載を参照すればよく、繰り返して説明しない。前記ダウンリンク伝送の所在のダウンリンク領域に対応するアップリンク領域は、第１の態様の関連記載を参照すればよく、繰り返して説明しない。
【００４１】
オプションとして、前記決定ユニットは、
第１の構成シグナリングを通して、前記開始位置を前記端末に通知し、
ここで、前記第１の構成シグナリングは、所定の基準時間ユニットに対する前記端末の時間ユニットの時間オフセットを運び、または、
前記第１の構成シグナリングは、前記端末の時間ユニットの開始位置に関する情報を運ぶ。
【００４２】
オプションとして、第１の構成シグナリングを通して、セルの端部にある端末に対し時間ユニットの固定開始位置を構成し、前記時間ユニットの固定開始位置は、事前に定義されたまたは約定された開始位置であり、または、
第１の構成シグナリングを通して、セルの中心にある端末に対し、同じまたは異なる時間ユニットの開始位置を構成する。
【００４３】
オプションとして、前記決定ユニットは、さらに、
第２の構成シグナリングを通して、前記端末の時間ユニットにおけるアップリンク領域及び/またはダウンリンク領域の割り当てを、前記端末に通知し、
ここで、前記第２の構成シグナリングは、前記時間ユニットにおけるアップリンク領域、ダウンリンク領域及びＧＰ領域のうちの少なくとも１つの領域の長さ及び位置に関する情報を運び、または、
前記第２の構成シグナリングは、前記時間ユニットにおけるアップリンク領域及び/またはダウンリンク領域の割り当てパターンを示す情報を運び、前記時間ユニットにおけるアップリンク領域及び/またはダウンリンク領域の割り当てパターンは、事前に設定された１個の時間ユニットにおけるアップリンク領域及び/またはダウンリンク領域の複数の割り当てパターンのうちの１つであり、または、
前記第２の構成シグナリングは、前記時間ユニットにおけるダウンリンク領域の開始位置または終了位置に関する情報を運び、または、
前記第２の構成シグナリングは、前記時間ユニットにおけるアップリンク領域の開始位置または終了位置に関する情報を運ぶ。
【００４４】
オプションとして、前記決定ユニットは、
前記端末の１個の時間ユニットにおけるダウンリンク領域を他の１個の端末の１個の時間ユニットにおけるＧＰ領域またはダウンリンク領域として決定し、及び/または
前記端末の１個の時間ユニットにおけるアップリンク領域を他の１個の端末の１個の時間ユニットにおけるＧＰ領域またはアップリンク領域として決定する。
【００４５】
オプションとして、前記受信ユニットは、
前記ダウンリンク伝送が、ダウンリンクＤＣＩフォーマットでダウンリンクＳＰＳリソース解放を示すダウンリンク制御チャネルを介する伝送である場合、前記ダウンリンク制御チャネルの所在のダウンリンク領域に対応するアップリンク領域において、前記ダウンリンク制御チャネルのＡＣＫ／ＮＡＣＫフィードバックを受信し、または、
前記ダウンリンク伝送がダウンリンク共有チャネルを介する伝送である場合、前記ダウンリンク共有チャネルの所在のダウンリンク領域に対応するアップリンク領域において、前記ダウンリンク共有チャネルのＡＣＫ／ＮＡＣＫフィードバックを受信し、または、
前記ダウンリンク伝送がアップリンクＤＣＩフォーマットを利用するダウンリンク制御チャネルを介する伝送である場合、前記ダウンリンク制御チャネルの所在のダウンリンク領域に対応するアップリンク領域において、前記ダウンリンク制御チャネルに対応するアップリンク共有チャネルを受信する。
【００４６】
第８の態様によれば、本発明の実施例に係る他の基地局は、前記プロセッサの制御下でデータを送受信するように構成される送受信機と、当該送受信機と接続され少なくとも１つのプロセッサとを備え、
前記プロセッサは、メモリに格納されたプログラムを読み出し、
端末の時間ユニットの開始位置を決定し、また、前記端末の時間ユニットにおけるアップリンク領域及びダウンリンク領域の割り当てを決定し、前記端末の時間ユニットのダウンリンク領域において、前記送受信機を介して、前記端末にダウンリンク伝送を送信し、前記ダウンリンク伝送の所在のダウンリンク領域に対応するアップリンク領域において、前記送受信機を介して、前記端末のアップリンク伝送を受信する。
【００４７】
ここで、時間ユニットは、第１の態様の関連記載を参照すればよく、繰り返して説明しない；前記ダウンリンク伝送の所在のダウンリンク領域に対応するアップリンク領域は、第１の態様の関連記載を参照すればよく、繰り返して説明しない。
【００４８】
オプションとして、前記プロセッサは、前記メモリに格納されたプログラムを読み出し、
第１の構成シグナリングを通して、前記開始位置を前記端末に通知し、
ここで、前記第１の構成シグナリングは、所定の基準時間ユニットに対する前記端末の時間ユニットの時間オフセットを運び、または、
前記第１の構成シグナリングは、前記端末の時間ユニットの開始位置に関する情報を運ぶ。
【００４９】
オプションとして、第１の構成シグナリングを通して、セルの端部にある端末に対し時間ユニットの固定開始位置を構成し、前記時間ユニットの固定開始位置は、事前に定義されたまたは約定された開始位置であり、または、
第１の構成シグナリングを通して、セルの中心にある端末に対し、同じまたは異なる時間ユニットの開始位置を構成する。
【００５０】
オプションとして、前記プロセッサは、前記メモリに格納されたプログラムを読み出し、
第２の構成シグナリングを通して、前記端末の時間ユニットにおけるアップリンク領域及び/またはダウンリンク領域の割り当てを、前記端末に通知し、
ここで、前記第２の構成シグナリングは、前記時間ユニットにおけるアップリンク領域、ダウンリンク領域及びＧＰ領域のうちの少なくとも１つの領域の長さ及び位置に関する情報を運び、または、
前記第２の構成シグナリングは、前記時間ユニットにおけるアップリンク領域及び/またはダウンリンク領域の割り当てパターンを示す情報を運び、前記時間ユニットにおけるアップリンク領域及び/またはダウンリンク領域の割り当てパターンは、事前に設定された１個の時間ユニットにおけるアップリンク領域及び/またはダウンリンク領域の複数の割り当てパターンのうちの１つであり、または、
前記第２の構成シグナリングは、前記時間ユニットにおけるダウンリンク領域の開始位置または終了位置に関する情報を運び、または、
前記第２の構成シグナリングは、前記時間ユニットにおけるアップリンク領域の開始位置または終了位置に関する情報を運ぶ。
【００５１】
オプションとして、前記プロセッサは、前記メモリに格納されたプログラムを読み出し、
前記端末の１個の時間ユニットにおけるダウンリンク領域を他の１個の端末の１個の時間ユニットにおけるＧＰ領域またはダウンリンク領域として決定し、及び/または
前記端末の１個の時間ユニットにおけるアップリンク領域を他の１個の端末の１個の時間ユニットにおけるＧＰ領域またはアップリンク領域として決定する。
【００５２】
オプションとして、前記プロセッサは、前記メモリに格納されたプログラムを読み出し、
前記ダウンリンク伝送が、ダウンリンクＤＣＩフォーマットでダウンリンクＳＰＳリソース解放を示すダウンリンク制御チャネルを介する伝送である場合、前記ダウンリンク制御チャネルの所在のダウンリンク領域に対応するアップリンク領域において、前記送受信機を介して、前記ダウンリンク制御チャネルのＡＣＫ／ＮＡＣＫフィードバックを受信し、または、
前記ダウンリンク伝送がダウンリンク共有チャネルを介する伝送である場合、前記ダウンリンク共有チャネルの所在のダウンリンク領域に対応するアップリンク領域において、前記送受信機を介して、前記ダウンリンク共有チャネルのＡＣＫ／ＮＡＣＫフィードバックを受信し、または、
前記ダウンリンク伝送がアップリンクＤＣＩフォーマットを利用するダウンリンク制御チャネルを介する伝送である場合、前記ダウンリンク制御チャネルの所在のダウンリンク領域に対応するアップリンク領域において、前記送受信機を介して、前記ダウンリンク制御チャネルに対応するアップリンク共有チャネルを受信する。
【発明の効果】
【００５３】
本発明の実施例に係る方法及び装置では、基地局は、各ＵＥが端末固有の時間ユニットで送信するように各端末に対して端末固有の時間ユニットを構成する。異なる端末の時間ユニットの開始位置は異なってもよく、異なる端末の時間ユニットに含まれるアップリンク領域及び/またはダウンリンク領域の数と長さも異なってもよく、こうして、柔軟で多様なリソースの割り当てをサポートすることができる。
【図面の簡単な説明】
【００５４】
【図１】背景技術のＬＴＥシステムにおけるＦＳ２フレームの構造図である。
【図２】本発明の実施例に係る端末側のデータ伝送方法の概略図である。
【図３】本発明の実施例に係る基地局側のデータ伝送方法の概略図である。
【図４Ａ】本発明に係る実施例１による、第１の端末の時間ユニット内の各領域の割り当ての概略図である。
【図４Ｂ】本発明に係る実施例１による、第２の端末の時間ユニット内の各領域の割り当ての概略図である。
【図４Ｃ】本発明に係る実施例１による、第３の端末の時間ユニット内の各領域の割り当ての概略図である。
【図４Ｄ】本発明に係る実施例１による、第４の端末の時間ユニット内の各領域の割り当ての概略図である。
【図５】本発明の実施例に係る端末の概略図である。
【図６】本発明の実施例に係る他の端末の概略図である。
【図７】本発明の実施例に係る基地局の概略図である。
【図８】本発明の実施例に係る他の基地局の概略図である。
【発明を実施するための形態】
【００５５】
本発明の実施例における目的、技術方案と利点を明確にするため、以下に本発明の実施例における図と結合して本発明の実施例における技術方案の詳細を明確に、完全に説明する。当然、記載の実施例は本発明の実施例の一部に過ぎず、全ての実施例ではない。本発明における実施例にもとづき、当業者は、創造性作業を行わないことを前提として、取得したその他の実施例は、本発明の保護範囲に属する。
【００５６】
本発明に係る実施例では、各端末は、端末がその特定の時間ユニットでデータを送信できるように、特定の時間ユニット構造で構成される。時間ユニットは、端末がデータを送信する時間軸上の時間単位を意味し、異なる端末の時間ユニットの開始位置は同じであってもよく、開始位置の一部は同じであってもよく、またはそれぞれの開始位置は同じでもよい。または、他のどの開始位置とも異なる可能性がある。時間ユニットは、アップリンク伝送のための少なくとも１つのアップリンク（ＵＬ）領域、および／またはダウンリンク伝送のための少なくとも１つのダウンリンク（ＤＬ）領域を含む。オプションとして、時間ユニットはさらにＧＰ領域（これは空白領域とも呼ばれることがある）を含む。
【００５７】
オプションとして、１個の時間ユニット内のそれぞれのダウンリンク領域のサイズは、同じでも異なってもよい。例えば、１個の時間ユニット内の１番目のダウンリンク領域は２つのシンボルを含み、２番目のダウンリンク領域は３つのシンボルを含む。
【００５８】
オプションとして、１個の時間ユニット内のそれぞれのアップリンク領域のサイズは、同じでも異なってもよい。例えば、１個の時間ユニット内の１番目のアップリンク領域は３つのシンボルを含み、２番目のアップリンク領域は４つのシンボルを含む。
【００５９】
オプションとして、本発明で言及されるシンボルは、直交周波数分割多重（Ｏｒｔｈｏｇｏｎａｌ Ｆｒｅｑｕｅｎｃｙ Ｄｉｖｉｓｉｏｎ Ｍｕｌｔｉｐｌｅｘ，ＯＦＤＭ）シンボルでもよく、またはシングルキャリア周波数分割多元接続（Ｓｉｎｇｌｅ Ｃａｒｒｉｅｒ Ｆｒｅｑｕｅｎｃｙ Ｄｉｖｉｓｉｏｎ Ｍｕｌｔｉｐｌｅ Ａｃｃｅｓｓ，ＳＣ−ＦＤＭＡ）でもよく、もちろん、他のマルチアクセスシンボルは除外されず、以下同じである。
【００６０】
本発明に係る実施例では、１個の時間ユニットは１つ以上のスロットであり、または、１個の時間ユニットは１つ以上のサブフレームである。
【００６１】
オプションとして、１個の時間ユニットは、１つ以上の連続的なスロットである。または、１個の時間ユニットは１つ以上の連続的なサブフレームである。
【００６２】
オプションとして、異なる端末の時間ユニットの長さは同じである。
【００６３】
本発明に係る実施例では、異なるサービスまたは伝送に対し、１個の時間ユニットに含まれるアップリンク領域及び/またはダウンリンク領域の数は、同じでも異なってもよい。異なるサービスまたは伝送に対し、１個の時間ユニットの長さは、同じでも異なってもよい。異なるサービスまたは伝送に対し、１個の時間ユニット内のＤＬとＵＬ領域との対応関係は、一律に定義されていても別々に定義されていてもよい。
【００６４】
例えば、ｅＭＢＢサービスの場合、１個の時間ユニットは１つのダウンリンク領域と１つのアップリンク領域とを含み、例えば、ダウンリンク領域はアップリンク領域に対応する。ＵＲＬＬＣサービスの場合、１個の時間ユニットは２つのダウンリンク領域と２つのアップリンク領域とを含み、例えば、１番目のダウンリンク領域は１番目のアップリンク領域に対応し、２番目のダウンリンク領域は２番目のアップリンク領域に対応する。
【００６５】
以下、図面を参照しながら本発明の実施の形態についてさらに詳細に説明する。本明細書に記載の実施形態は、本発明を例示し説明することのみを意図しており、本発明をそれに限定することを意図していないことを理解されたい。
【００６６】
図２に示す実施例が提供する端末側のデータ伝送方法は以下のステップを備える。
【００６７】
Ｓ２１において、端末は、前記端末の時間ユニットの開始位置を決定し、前記時間ユニットにおけるアップリンク領域及びダウンリンク領域の割り当てを決定する。
【００６８】
Ｓ２２において、前記端末は、前記時間ユニットのダウンリンク領域において、ダウンリンク制御チャネルを検出する。
【００６９】
Ｓ２３において、前記端末は、検出結果に従い、前記ダウンリンク領域に対応するアップリンク領域において、アップリンク伝送を行う。
【００７０】
本発明に係る実施例では、端末は、前記端末の時間ユニットの開始位置を決定し、前記時間ユニットにおけるアップリンク領域及びダウンリンク領域の割り当てを決定し、前記時間ユニットのダウンリンク領域において、ダウンリンク制御チャネルを検出し、また、検出結果に従って、前記ダウンリンク領域に対応するアップリンク領域において、アップリンク伝送を行う。端末は当該端末に固有の時間ユニットで送信するので、異なる端末の時間ユニットの異なる開始位置、ならびに異なる端末の時間ユニットにおけるアップリンク領域および／またはダウンリンク領域の異なる数および長さもあり得る。こうして、柔軟で多様なリソースの割り当てをサポートすることができる。
【００７１】
本発明に係る実施例では、１つの端末の時間ユニットにおけるアップリンク領域が他の１個の端末の時間ユニットにおけるＧＰ領域またはアップリンク領域であることにより、システムリソースの利用率を向上する。
【００７２】
本発明に係る実施例では、１つの端末の時間ユニットにおけるダウンリンク領域が他の１個の端末の時間ユニットにおけるＧＰ領域またはダウンリンク領域であることにより、システムリソースの利用率を向上する。
【００７３】
上記いずれかの実施例に基づき、Ｓ２１での前記端末が、前記端末の時間ユニットの開始位置を決定する場合、前記端末は、第１の構成シグナリングを受信し、前記第１の構成シグナリングに従い、前記時間ユニットの開始位置を決定する。
【００７４】
ここで、前記第１の構成シグナリングは、前記時間ユニット所定の基準時間ユニットに対する時間オフセットを運る。または、前記第１の構成シグナリングは、前記時間ユニットの開始位置に関する情報を運ぶ。
【００７５】
以下の２つの特定の実施態様がある。
【００７６】
１．前記第１の構成シグナリングが、前記時間ユニットの開始位置に関する情報を運ぶ場合、前記第１の構成シグナリングは、前記端末の時間ユニットの開始位置に対応するシンボルの番号を運ぶ。または前記端末の時間ユニットの開始位置に対応するミニスロット（ｍｉｎｉ−ｓｌｏｔ）の番号、または前記端末の時間ユニットの開始位置に対応するｓｌｏｔの番号、または前記端末の時間ユニットの開始位置に対応するサブフレームの番号を運ぶ。前記端末は、前記第１の構成シグナリングから、前記端末の時間ユニットの開始位置を直接に取得することができる。ここで、シンボルが最小の時間単位であり、ｍｉｎｉ−ｓｌｏｔが最小のスケジューリング単位である場合、１つ以上のシンボルを含み、ｓｌｏｔは、１つ以上のｍｉｎｉ−ｓｌｏｔを含み、サブフレームは１つ以上のｓｌｏｔを含む。
【００７７】
２．前記第１の構成シグナリングが、前記時間ユニット所定の基準時間ユニットに対する時間オフセットを運ぶ場合、前記端末は、前記基準時間ユニットの開始位置及び前記第１の構成シグナリングにより運ばれる時間オフセットに従って、前記端末の時間ユニットの開始位置を決定する。
【００７８】
オプションとして、前記第１の構成シグナリングにより運ばれる時間オフセットは、前記基準時間ユニットの開始位置対する前記時間ユニットの開始位置のオフセットのシンボルの数、またはｍｉｎｉ−ｓｌｏｔ数、またはｓｌｏｔ数、サブフレーム数などとすることができる。
【００７９】
ここで、時間オフセットが正である場合、それは、前記端末の時間ユニットの開始位置が基準時間ユニットの開始位置に対して後に配置されることを示す。時間オフセットが負である場合、それは、前記端末の時間ユニットの開始位置が基準時間ユニットの開始位置に対して前方に配置されていることを示す。または時間オフセットが０である場合、それは、前記端末の時間ユニットの開始位置が基準時間ユニットの開始位置と整列していることを示す。
【００８０】
本発明に係る実施例では、第１の構成シグナリングは、ハイレイヤシグナリング、またはダウンリンク制御チャネルで送信される構成シグナリングであり、ブロードキャスト形式で送信されることができ、または各端末に別々に送信されることができる。前記ダウンリンク制御チャネルは、端末の特有のサーチスペース（ＵＥ ｓｐｅｃｉｆｉｃ Ｓｅａｒｃｈ Ｓｐａｃｅ， ＵＳＳ）で送信されるか、またはコモンサーチスペース（Ｃｏｍｍｏｎ Ｓｅａｒｃｈ Ｓｐａｃｅ， ＣＳＳ）で送信されることができる。第１の構成シグナリングは、一度だけ送信することも、定期的に送信することもできる。
【００８１】
勿論、本発明に係る実施例は、上記のように決定されたＵＥの時間ユニットの開始位置に限定されず、代わりに、例えば、約定済みまたは定義済みの方式で、ＵＥの時間ユニットの開始位置を決定してもよい。
【００８２】
上記いずれかの実施例に基づき、Ｓ２１において、前記端末は、以下の３つの可能な方式で、前記時間ユニットにおけるアップリンク領域及びダウンリンク領域の割り当てを決定することができる。
【００８３】
方式１、前記端末は、第２の構成シグナリングを受信し、前記第２の構成シグナリングに従い、前記端末の時間ユニットにおけるアップリンク領域及びダウンリンク領域の割り当てを決定する。
【００８４】
オプションとして、前記第２の構成シグナリングは、ハイレレイヤシグナリング、またはダウンリンク制御チャネルで送信される構成シグナリングであり、ブロードキャストすることができ、またはグループキャストすることができ、または各ＵＥに別々に送信することができる。前記ダウンリンク制御チャネルはＵＳＳで送信でき、またはCSSで送信できる。
【００８５】
オプションとして、第２の構成シグナリングは、一度だけ送信することができ、または予め設定された周期で送信することができる。さらに、異なる第２の構成のシグナリングが異なる周期で送信されてもよい。例えば、１番目の所定の周期において、前記第２の構成シグナリングは、一部の端末の時間ユニットにおけるアップリンク領域の長さ及び位置に関する情報を搬送する。２番目の所定の周期において、前記第２の構成シグナリングは、残りの端末の時間ユニットにおけるアップリンク領域の長さ及び位置に関する情報を搬送する。
【００８６】
オプションとして、前記第２の構成シグナリング及び前記第１の構成シグナリング同じ構成シグナリングで送信され得るか、または別々に送信され得る。
【００８７】
当該方式では、前記第２の構成シグナリングの送信には、以下４つの実施可能の方式がある。
【００８８】
方式ａ：前記第２の構成シグナリングは、前記端末の時間ユニットにおけるアップリンク領域、ダウンリンク領域及びＧＰ領域のうちの少なくとも１つの領域の長さ及び位置に関する情報を搬送する。
【００８９】
具体的に、第２の構成シグナリングにより、前記端末の時間ユニットにおけるアップリンク領域、ダウンリンク領域及びＧＰ領域のうちの少なくとも１つの領域の長さ及び位置に関する情報を直接に通知する。
【００９０】
１つの実施可能方式として、前記第２の構成シグナリングは、前記端末の時間ユニット内の各領域の長さ及び位置に関する情報を搬送する。例えば、前記端末の時間ユニットがアップリンク領域及びダウンリンク領域を含めば、前記第２の構成シグナリングは、前記端末の時間ユニットにおけるアップリンク領域及びダウンリンク領域の長さ及び位置に関する情報を搬送する。前記端末の時間ユニットに複数のアップリンク領域が含まれ、且つそれぞれのアップリンク領域の長さが異なれば、前記第２の構成シグナリングは、前記端末の時間ユニット内のそれぞれのアップリンク領域の長さ及び位置に関する情報を搬送する必要がある。例えば、それぞれのアップリンク領域に含まれる１番目のシンボルの番号及び当該アップリンク領域に含まれるシンボルの数、またはそれぞれのアップリンク領域に含まれる１番目のｍｉｎｉ−ｓｌｏｔの番号及び当該アップリンク領域に含まれるｍｉｎｉ−ｓｌｏｔの数、またはそれぞれのアップリンク領域に含まれる１番目のｓｌｏｔの番号及び当該アップリンク領域に含まれるｓｌｏｔの数、またはそれぞれのアップリンク領域に含まれる１番目のサブフレームの番号及び当該アップリンク領域に含まれるサブフレームの数を搬送する。ダウンリンクについても同様であるので、ここでの説明を省略する。アップリンク領域、ダウンリンク領域及びＧＰ領域を含む前記端末の時間ユニットについても同様であるので、ここでの繰り返しの説明は省略する。
【００９１】
他の実施可能の方式として、前記第２の構成シグナリングは、前記端末の時間ユニット内の一部の領域の長さ及び位置に関する情報を搬送する。これに応じて、前記端末は、前記端末の時間ユニットの長さと開始位置、及び前記第２の構成シグナリングにより運ばれる一部の領域の長さ及び位置に関する情報に従って、たの領域の長さ及び位置を決定する。
【００９２】
他の実施可能の方式として、前記第２の構成シグナリングは、前記端末の時間ユニット内の一部の領域の長さ及び位置に関す例えば、前記端末の時間ユニットがアップリンク領域及びダウンリンク領域を含めば、前記第２の構成シグナリングは、前記端末の時間ユニットにおけるアップリンク領域の長さ及び位置に関する情報を搬送する。これに応じて、前記端末は、前記端末の時間ユニットの長さと開始位置、及び当該時間ユニットにおけるアップリンク領域の長さ及び位置に従って、当該時間ユニットにおけるダウンリンク領域の長さ及び位置を決定することができる。
【００９３】
別の例では、前記端末の時間ユニットは、アップリンク領域、ダウンリンク領域及びＧＰ領域を含む。前記第２の構成シグナリングは、前記端末の時間ユニットにおけるアップリンク領域とダウンリンク領域の長さ及び位置に関する情報を搬送する。これに応じて、前記端末は、前記端末の時間ユニットの長さと開始位置、当該時間ユニットにおけるアップリンク領域とダウンリンク領域の長さ及び位置に従って、当該時間ユニットにおけるＧＰ領域の長さ及び位置を決定することができる。または、前記第２の構成シグナリングは、前記端末の時間ユニットにおけるダウンリンク領域とＧＰ領域の長さ及び位置に関する情報を搬送する。これに応じて、前記端末は、前記端末の時間ユニットの長さと開始位置、当該時間ユニットにおけるダウンリンク領域和ＧＰ領域の長さ及び位置に従って、当該時間ユニットにおけるアップリンク領域の長さ及び位置を決定することができる。
【００９４】
方式ｂ：前記第２の構成シグナリングは、前記時間ユニットにおけるアップリンク領域及び/またはダウンリンク領域の割り当てパターンを示す情報を運び、前記時間ユニットにおけるアップリンク領域及び/またはダウンリンク領域の割り当てパターンは、事前に設定された１個の時間ユニットにおけるアップリンク領域及び/またはダウンリンク領域の複数の割り当てパターンのうちの１つである。
【００９５】
当該方式では、事前に設定された１個の時間ユニットにおけるアップリンク領域及び/またはダウンリンク領域の複数の割り当てパターンのうち、異なる割り当てパターンにおけるアップリンク領域の開始位置、長さ、およびアップリンク領域の数のうちの少なくとも１つが異なる。及び/または異なる割り当てパターンにおけるダウンリンク領域の開始位置、長さ、および下りリンク領域の数のうちの少なくとも１つが異なる。
【００９６】
当該方式では、前記第２の構成シグナリングは、前記端末の時間ユニットにおけるアップリンク領域及び/またはダウンリンク領域の割り当てパターンを表す情報を、アップリンク領域及び/またはダウンリンク領域の割り当てパターンのインデックスとして搬送する。これに応じて、前記第２の構成シグナリングが前記端末の時間ユニットにおけるアップリンク領域の割り当てパターンのインデックスを搬送する場合、前記端末は、当該インデックスに従って、事前に設定された時間ユニットにおけるアップリンク領域の割り当てパターン集合から対応のアップリンク領域の割り当てパターンをけっていして、前記端末の時間ユニットにおけるアップリンク領域の長さ及び/または位置を取得する。前記第２の構成シグナリングが前記端末の時間ユニットにおけるダウンリンク領域の割り当てパターンのインデックスを搬送する場合、前記端末は、当該インデックスに従って、事前に設定された時間ユニットにおけるダウンリンク領域の割り当てパターン集合から対応のダウンリンク領域の割り当てパターンを決定して、前記端末の時間ユニットにおけるダウンリンク領域の長さ及び/または位置を取得する。前記第２の構成シグナリングが前記端末の時間ユニットにおけるアップリンク領域及びダウンリンク領域の割り当てパターンのインデックスを搬送する場合、前記端末は、当該インデックスに従って、事前に設定された時間ユニットにおけるアップリンク領域及びダウンリンク領域の割り当てパターン集合から対応のアップリンク領域及びダウンリンク領域の割り当てパターンを決定して、前記端末の時間ユニットにおけるアップリンク領域及びダウンリンク領域の長さ及び/または位置を取得する。
【００９７】
方式ｃ：前記第２の構成シグナリングは、前記端末の時間ユニットにおけるダウンリンク領域の開始位置または終了位置に関する情報を搬送する。
【００９８】
当該方式では、前記端末は、前記第２の構成シグナリングから、前記端末の時間ユニットにおけるダウンリンク領域の開始位置または終了位置を直接に取得する。ここで、前記第２の構成シグナリングが前記端末の時間ユニットにおけるダウンリンク領域の開始位置を搬送する場合、前記端末は、当該開始位置からダウンリンク制御チャネルを検出し、ブラインド検出の数を減らすことができる。前記第２の構成シグナリングが前記端末の時間ユニットにおけるダウンリンク領域の終了位置を搬送する場合、前記端末は、終了位置の前の全領域において、ダウンリンク制御チャネルをブラインド検出することにより、ダウンリンク制御チャネルの開始位置を決定する。
【００９９】
当該方式では、例えば、エネルギー検出を通じて、または他の構成シグナリングから、前記端末は、前記端末の時間ユニットにおけるダウンリンク領域の長さを取得することができる。
【０１００】
方式ｄ：前記第２の構成シグナリングは、前記時間ユニットにおけるアップリンク領域の開始位置または終了位置に関する情報を運ぶ。
【０１０１】
方式２、前記端末は、アップリンクスケジューリングシグナリングに従い、前記時間ユニットにおけるアップリンク領域を決定する。
【０１０２】
例えば、端末は、前記端末の時間ユニットのダウンリンク領域において、ダウンリンク制御チャネルを検出することにより、アップリンクＤＣＩフォーマットを利用するダウンリンク制御チャネルを受信した場合、事前に定義されたアップリンクスケジューリングタイミング及び/または当該ダウンリンク制御チャネルで通知されるスケジューリングタイミング調整及び/または時間位置に従って、当該ダウンリンク制御チャネルでスケジューリングされるアップリンク共有チャネル伝送の所在のアップリンク領域を決定する。当該領域は、１個の時間ユニットにおける端末のアップリンク領域である。
【０１０３】
方式３、前記端末は、ダウンリンク伝送のＡＣＫ（肯定応答）/ＮＡＣＫ（一例として、）フィードバック位置に従って、前記ＡＣＫ／ＮＡＣＫを運ぶアップリンク領域を決定する。
【０１０４】
一例として、端末は、事前に定されたフィードバック遅延及び/またはＡＣＫ／ＮＡＣＫフィードバックが必要とするダウンリンク伝送所に対応するダウンリンク制御チャネルに示されるフィードバック遅延調整及び/またはフィードバック時間位置に従って、ダウンリンク伝送のＡＣＫ／ＮＡＣＫフィードバック位置を決定する。例えば、ダウンリンク伝送のＡＣＫ／ＮＡＣＫフィードバック位置がｎ＋Ｔ１であり、ｎはダウンリンク伝送の所在の領域の番号を示す。Ｔ１は所定のフィードバック遅延である。例えば、Ｔ１は、ｋ×第１の伝送時間間隔（Ｔｒａｎｓｍｉｓｓｉｏｎ Ｔｉｍｅ Ｉｎｔｅｒｖａｌ，ＴＴＩ）長さ、または、ｋ×第１のＴＴＩ長さ＋Ｔ２として表される。第１のＴＴＩ長さは、アップリンク伝送のＴＴＩ長さ、またはもちろん別のＴＴＩであり得る。例えば、ダウンリンク伝送のＴＴＩ長さは除外されない。ｋの値は事前に定義されてもよく、またはダウンリンク制御チャネルで通知されてもよい。Ｔ２の値は、ダウンリンク制御チャネルで通知されるように決定され、フィードバック遅延に対する調整を表し、時間の長さの特定の値として直接表すことができ、あるいはｍ×第１のＴＴＩ長さとして表すことができる。ダウンリンク伝送のＡＣＫ／ＮＡＣＫフィードバック位置は、上で定義されたように決定することができ、当該ＡＣＫ／ＮＡＣＫフィードバック位置の時間位置は、アップリンク領域として決定することができる。
【０１０５】
上記いずれかの実施例に基づき、Ｓ１３において、以下３つの実施可能の方式で、前記端末は、検出結果に従い、前記ダウンリンク領域に対応するアップリンク領域において、アップリンク伝送を行う。
【０１０６】
方式１、アップリンクダウンリンク制御情報（Ｄｏｗｎｌｉｎｋ Ｃｏｎｔｒｏｌ Ｉｎｆｏｒｍａｔｉｏｎ，ＤＣＩ）フォーマットを利用するダウンリンク制御チャネルが検出しされた場合、前記端末は、前記ダウンリンク制御チャネルの所在のダウンリンク領域に対応するアップリンク領域において、アップリンク共有チャネル伝送を行う。
【０１０７】
当該方式では、前記ダウンリンク領域に対応するアップリンク領域は、
前記ダウンリンク制御チャネルの所在のダウンリンク領域と同一の時間ユニットにおいて事前に約定または構成されたアップリンク領域であり、または、
前記ダウンリンク制御チャネルの所在のダウンリンク領域の所在の時間ユニットの後ろの時間ユニットにおいて事前に約定または構成されたアップリンク領域であり、または、
前記ダウンリンク制御チャネル内の指示フィールドにより決定されたアップリンク領域である。
【０１０８】
方式２、ダウンリンクＤＣＩフォーマットのダウンリンクの半永続的スケジューリング（Ｓｅｍｉ−Ｐｅｒｓｉｓｔｅｎｔ Ｓｃｈｅｄｕｌｉｎｇ，ＳＰＳ）リソース解放を示すダウンリンク制御チャネルが検出された場合、前記端末は、前記ダウンリンク制御チャネルの所在のダウンリンク領域に対応するアップリンク領域において、ＡＣＫ／ＮＡＣＫフィードバックを行う。
【０１０９】
当該方式では、前記ダウンリンク領域に対応するアップリンク領域は、
前記ダウンリンク制御チャネルの所在のダウンリンク領域と同一の時間ユニットにおいて事前に約定または構成されたアップリンク領域であり、または、
前記ダウンリンク制御チャネル内の指示フィールドにより決定されたアップリンク領域であり、または、
前記ダウンリンク制御チャネルの所在のダウンリンク領域の終了位置から所定時間長だけ離間したアップリンク領域である。
【０１１０】
方式３.ダウンリンク共有チャネルが検出される場合、前記端末は、前記ダウンリンク共有チャネルの所在のダウンリンク領域に対応するアップリンク領域において、ＡＣＫ／ＮＡＣＫフィードバックを行う。
【０１１１】
当該方式では、前記ダウンリンク領域に対応するアップリンク領域は、前記ダウンリンク共有チャネルの所在の.ウンリンク領域と同一の時間ユニットにおいて事前に約定または構成されたアップリンク領域であり、または、前記ダウンリンク共有チャネルのスケジューリングシグナリング内の指示フィールドにより決定されたアップリンク領域であり、または、前記ダウンリンク共有チャネルの所在のダウンリンク領域の終了位置から所定時間長だけ離間したアップリンク領域である。
【０１１２】
具体的に、当該ダウンリンク共有チャネルが動的にスケジュールされた物理ダウンリンク共有チャネルである場合、そのスケジューリングシグナリングは、当該物理ダウンリンク共有チャネルに対応する物理ダウンリンク制御チャネルである。当該ダウンリンク共有チャネルがＳＰＳ物理ダウンリンク共有チャネルであれば、そのスケジューリングシグナリングは、当該ＳＰＳリソースにアクティブ化されるように指示する物理ダウンリンク制御チャネルである。
【０１１３】
同様な発明思想に基づき、図３に示すように、本発明の一実施形態は、基地局側のデータ伝送方法を提供し、ここで、端末側との実施と同様であるため、繰り返して説明しない。前記方法は以下のステップを含む。
【０１１４】
Ｓ３１において、基地局は、端末の時間ユニットの開始位置を決定し、また、前記端末の時間ユニットにおけるアップリンク領域及びダウンリンク領域の割り当てを決定する。
【０１１５】
Ｓ３２において、前記基地局は、前記端末の時間ユニットに含まれるダウンリンク領域において、前記端末にダウンリンク伝送を送信する。
【０１１６】
Ｓ３３において、前記基地局は、前記ダウンリンク伝送の所在のダウンリンク領域に対応するアップリンク領域において、前記端末のアップリンク伝送を受信する。
【０１１７】
オプションとして、前記基地局が端末の時間ユニットの開始位置を決定した後に、前記基地局は、第１の構成シグナリングを通して、前記開始位置を前記端末に通知し、ここで、
前記第１の構成シグナリングは、所定の基準時間ユニットに対する前記端末の時間ユニットの時間オフセットを運び、または、
前記第１の構成シグナリングは、前記端末の時間ユニットの開始位置に関する情報を運ぶ。
【０１１８】
オプションとして、前記基地局は、第１の構成シグナリングを通して、セルの端部にある端末に対し時間ユニットの固定開始位置を構成し、前記時間ユニットの固定開始位置は、すべてのセルに対して同じである事前に定義されたまたは約定された開始位置であり，したがって、異なるセルの端部におけるＵＥ間の相互干渉を回避する。
【０１１９】
または、前記基地局は、第１の構成シグナリングを通して、セルの中心にある端末に対し、同じまたは異なる時間ユニットの開始位置を構成する。
【０１２０】
好ましい実施方式において、前記基地局は、第１の構成シグナリングを通して、セルの中心にある端末に対し、異なる時間ユニットの開始位置を構成することにより、システムリソースの利用率を向上する。
【０１２１】
上述した任意の実施例に基づき、前記基地局が前記端末の時間ユニットにおけるアップリンク領域及びダウンリンク領域の割り当てを決定した後に、
前記基地局は、第２の構成シグナリングを通して、前記端末の時間ユニットにおけるアップリンク領域及び/またはダウンリンク領域の割り当てを、前記端末に通知し、
ここで、前記第２の構成シグナリングは、前記時間ユニットにおけるアップリンク領域、ダウンリンク領域及びＧＰ領域のうちの少なくとも１つの領域の長さ及び位置に関する情報を運び、または、
前記第２の構成シグナリングは、前記時間ユニットにおけるアップリンク領域及び/またはダウンリンク領域の割り当てパターンを示す情報を運び、前記時間ユニットにおけるアップリンク領域及び/またはダウンリンク領域の割り当てパターンは、事前に設定された１個の時間ユニットにおけるアップリンク領域及び/またはダウンリンク領域の複数の割り当てパターンのうちの１つであり、または、
前記第２の構成シグナリングは、前記時間ユニットにおけるダウンリンク領域の開始位置または終了位置に関する情報を運び、または、
前記第２の構成シグナリングは、前記時間ユニットにおけるアップリンク領域の開始位置または終了位置に関する情報を運ぶ。
【０１２２】
上述した任意の実施例に基づき、前記基地局が、端末の時間ユニットの開始位置を決定し、また、前記端末の時間ユニットにおけるアップリンク領域及びダウンリンク領域の割り当てを決定する場合、前記基地局は、前記端末の１個の時間ユニットにおけるダウンリンク領域を他の１個の端末の１個の時間ユニットにおけるＧＰ領域またはダウンリンク領域として決定する。
【０１２３】
及び/または、前記基地局は、前記端末の１個の時間ユニットにおけるアップリンク領域を他の１個の端末の１個の時間ユニットにおけるＧＰ領域またはアップリンク領域として決定する。
【０１２４】
好ましい実施方式において、前記基地局は、前記端末の１個の時間ユニットにおけるダウンリンク領域を他の１個の端末の１個の時間ユニットにおけるＧＰ領域として決定することにより、システムリソースの利用率を向上する。
及び/または、前記基地局は、前記端末の１個の時間ユニットにおけるアップリンク領域を他の１個の端末の１個の時間ユニットにおけるＧＰ領域として決定することにより、システムリソースの利用率を向上する。
【０１２５】
本発明に係る実施例では、オプションとして、前記基地局は、異なる端末の時間ユニットの開始位置と、時間ユニットに含まれるアップリンク領域及びダウンリンク領域の割り当てを別々に構成する。異なる端末の１個の時間ユニットに含まれるダウンリンク領域とアップリンク領域の数及び/または長さは同じかまたは異なる。
【０１２６】
一例として、基地局は、端末をＡグループに事前グループ分けすることができ、各グループ内の端末の時間ユニット内の開始位置、及びアップリンク領域とダウンリンク領域を、同じ割り当て方式を採用することができる。異なるグループ内の端末の時間ユニットの開始位置は異なる。異なるグループ内の端末の時間ユニットにおけるアップリンク領域とダウンリンク領域の割り当ては、別々に構成されてもよく、同じであってもなくてもよい。
【０１２７】
上記いずれかの実施例に基づき、Ｓ３３において前記基地局が、前記ダウンリンク伝送の所在のダウンリンク領域に対応するアップリンク領域において、前記端末のアップリンク伝送を受信する場合、
前記ダウンリンク伝送が、ダウンリンクＤＣＩフォーマットでダウンリンクＳＰＳリソース解放を示すダウンリンク制御チャネルを介する伝送である場合、前記基地局は、前記ダウンリンク制御チャネルの所在のダウンリンク領域に対応するアップリンク領域において、前記ダウンリンク制御チャネルのＡＣＫ／ＮＡＣＫフィードバックを受信し、または、
前記ダウンリンク伝送がダウンリンク共有チャネルを介する伝送である場合、前記基地局は、前記ダウンリンク共有チャネルの所在のダウンリンク領域に対応するアップリンク領域において、前記ダウンリンク共有チャネルのＡＣＫ／ＮＡＣＫフィードバックを受信し、または、
前記ダウンリンク伝送がアップリンクＤＣＩフォーマットを利用するダウンリンク制御チャネルを介する伝送である場合、前記基地局は、前記ダウンリンク制御チャネルの所在のダウンリンク領域に対応するアップリンク領域において、前記ダウンリンク制御チャネルに対応するアップリンク共有チャネルを受信する。
【０１２８】
前記ダウンリンク伝送が、ダウンリンクＤＣＩフォーマットでダウンリンクＳＰＳリソース解放を示すダウンリンク制御チャネルを介する伝送である場合、前記ダウンリンク伝送の所在のダウンリンク領域に対応するアップリンク領域は、前記ダウンリンク制御チャネルの所在のダウンリンク領域と同一の時間ユニットにおいて事前に約定または構成されたアップリンク領域であり、または、前記ダウンリンク制御チャネル内の指示フィールドに示されたアップリンク領域であり、または、前記ダウンリンク制御チャネルの所在のダウンリンク領域の終了位置から所定時間長だけ離間したアップリンク領域であり、
または、
前記ダウンリンク伝送がダウンリンク共有チャネルを介する伝送である場合、前記ダウンリンク伝送の所在のダウンリンク領域に対応するアップリンク領域は、前記ダウンリンク共有チャネルの所在のダウンリンク領域と同一の時間ユニットにおいて事前に約定または構成されたアップリンク領域であり、または、前記ダウンリンク共有チャネルのスケジューリングシグナリング内の指示フィールドに示されたアップリンク領域であり、または、前記ダウンリンク共有チャネルの所在のダウンリンク領域の終了位置から所定時間長だけ離間したアップリンク領域であり、
または、
前記ダウンリンク伝送がアップリンクＤＣＩフォーマットを利用するダウンリンク制御チャネルを介する伝送である場合、前記ダウンリンク伝送の所在のダウンリンク領域に対応するアップリンク領域は、前記ダウンリンク制御チャネルの所在のダウンリンク領域と同一の時間ユニットにおいて事前に約定または構成されたアップリンク領域であり、または、前記ダウンリンク制御チャネルの所在のダウンリンク領域の所在の時間ユニットの後ろの時間ユニットにおいて事前に約定または構成されたアップリンク領域であり、または、前記ダウンリンク制御チャネルの指示フィールドに示されたアップリンク領域である。
【０１２９】
本発明の一実施例によるデータを送信する方法を、その特定の実施例に関連して以下に詳細に説明する。
【０１３０】
実施例１：例えば、１個のスロット（ｓｌｏｔ）を１個の時間ユニットとし、１個のｓｌｏｔ７個のＯＦＤＭシンボルを含み、サブフレームは２個のスロットを含む。勿論、他の長さの時間ユニットも同様に本発明の実施形態で定義することができるので、ここではその繰り返しの説明は省略する。
【０１３１】
基地局側の動作：
１）基地局は、端末１の時間ユニットの開始位置を基準時間ユニットの開始位置としい、端末２の時間ユニットの開始位置を端末１の時間ユニットの開始位置に対して前方にＡ個のＯＦＤＭシンボルオフセットするように決定する。それぞれの端末の時間ユニットの開始位置を各端末に通知する。
【０１３２】
２）図４Ａに示すように、基地局端末１の１つの時間ユニットを１つのＤＬ領域と１つのＵＬ領域とに分割することを決定し、ＤＬ領域とＵＬとの間にＧＰ領域（空白領域とも呼ばれる）がある。ＧＰ領域は、隣接セル間の干渉などを考慮して、ＵＬにおけるタイミングアドバンス（Ｔｉｍｉｎｇ Ａｄｖａｎｃｅ， ＴＡ））要求、ＤＬからＵＬへの切り替え時間、処理遅延などを満たすように決定された予約領域である領域。同様に、端末２の１個の時間ユニットを１つのＤＬ領域と１つのＵＬ領域とに分割することを決定し、開始位置がオフセットされているので、端末１のＤＬ領域及びＵＬ領域は時間的に端末２のＧＰ領域は時間的に端末２のＤＬ及びＵＬ領域は、端末１のＧＰ領域と時間的に重なり合うので、基地局側は任意の１期間内に送信されるデータをスケジュールすることができ、ＵＬ/ＤＬの干渉を回避しながらシステムリソースの利用率を改善する。ＴＡまたは切り替え時間または干渉防止が必要とされない場合、ＧＰ領域は、代わりに、図４Ｂに示されるように、処理遅延のために必要に応じてのみ構成されてもよい。このとき、時間ユニットのオフセット（ｏｆｆｓｅｔ）により、端末１の１個の時間ユニットにおけるダウンリンク領域と、端末２のダウンリンク領域またはＧＰ領域と、時間的に重なり、端末１の１個の時間ユニットにおけるアップリンク領域と、端末２のアップリンク領域またはＧＰ領域と、時間的に重なる。端末２も同様である。その結果、複数の端末は、端末のアップリンクとダウンリンクとの間にいかなる干渉もなしに同時に動作することができる。
【０１３３】
本実施例では、時間ユニットでの端末のＤＬ領域と時間ユニットでの端末のＵＬ領域との対応関係を直接的に約定または構成することができる。例えば、端末１及び端末２に対し、時間ユニットのＤＬ領域は、時間ユニットのＵＬ領域でのアップリンク送信をスケジュールするように約定または構成される。ここで、当該ＵＬ領域でのアップリンク送信は、ＯＦＤＭもしくはＳＣ−ＦＤＭＡシンボルの一部または一部のミニスロットのみを占有し得る。したがって同じまたは異なる端末の複数のアップリンク共有チャネルをＴＤＭモードのＵＬ領域内で送信することができ、またはＵＬ領域内のアップリンク送信はＵＬ領域全体の長さを占有することができる。
【０１３４】
１個の時間ユニット内のＤＬ領域でのダウンリンク伝送に対するＡＣＫ／ＮＡＣＫは、当該時間ユニット内のＵＬ領域でフィードバックされる。ここで、当該ＤＬ領域でのダウンリンク伝送は、ＯＦＤＭシンボルの一部またはミニシンボルの一部のみを占めてもよい。同じまたは異なる端末の複数のダウンリンク伝送をＴＤＭモードのＤＬ領域内で送信することができ、ＤＬ領域全体の長さを占有することもできる。ダウンリンク伝送ためのＡＣＫ／ＮＡＣＫフィードバック情報を搬送するアップリンクチャネルは、ＵＬ領域内のＯＦＤＭまたはＳＣ−ＯＦＤＭシンボルの一部またはミニスロットの一部のみを占有することができる。図４Ａおよび図４Ｂに示すように、同じまたは異なる端末の複数のＡＣＫ／ＮＡＣＫを搬送するアップリンクチャネルを、ＴＤＭモードのＵＬ領域内で送信することができ、ＵＬ領域全体の長さを占有することもできる。
【０１３５】
本実施例では、端末１をスケジューリングしようとする基地局は、端末１の１個の時間ユニット内のＤＬ領域内のダウンリンク制御チャネルサーチスペースで端末１にダウンリンク制御チャネルを送信し、スケジューリング端末１が当該ＤＬ領域においてダウンリンク共有チャネルを受信し及び/または端末１の当該時間ユニット内のＵＬ領域においてアップリンク共有チャネルを送信するようにスケジューリングする。端末２をスケジューリングしようとする基地局は、端末２の１個の時間ユニットでのＤＬ領域内のダウンリンク制御チャネルサーチスペースにおいて端末２にダウンリンク制御チャネルを送信し、端末２が当該ＤＬ領域においてダウンリンク共有チャネルを受信し及び/または端末２の当該時間ユニット内のＵＬ領域でアップリンク共有チャネルを送信するようにスケジューリングする。
【０１３６】
これに応じて、端末１及び端末２それぞれは構成情報に従って１個の時間ユニットの開始位置を決定し、かつ、時間ユニット内のＤＬ領域及びＵＬ領域の割り当てを決定する。１個の時間ユニット内のＤＬ領域において、ダウンリンク制御チャネルをブラインド検出する。自分に用いられるダウンリンクＤＣＩフォーマットでダウンリンク制御チャネルが検出される場合、当該ＤＬ領域において対応のダウンリンク共有チャネルを受信し、当該ダウンリンク共有チャネルのＡＣＫ／ＮＡＣＫフィードバック情報（即ちANフィードバック）を生成する。当該ＤＬ領域に対応するＵＬ領域においてＡＣＫ／ＮＡＣＫフィードバックを行い、即ち、端末１は、端末１の当該時間ユニット内のＵＬ領域においてＡＣＫ／ＮＡＣＫフィードバックを行い、端末２は端末２の当該時間ユニット内のＵＬ領域においてＡＣＫ／ＮＡＣＫフィードバックを行う。自分のアップリンクＤＣＩフォーマットを利用するダウンリンク制御チャネルが検出される場合、当該ＤＬ領域に対応するＵＬ領域において対応のアップリンク共有チャネルを送信する。即ち、端末１は、端末１の当該時間ユニット内のＵＬ領域において対応のアップリンク共有チャネルを送信し、端末２は、端末２の当該時間ユニット内のＵＬ領域において対応のアップリンク共有チャネルを送信する。
【０１３７】
本実施例では、異なるタイプのサービス、例えば、ＵＥ１およびＵＥ２のｅＭＢＢサービス、ならびにＵＥ３のＵＲＬＬＣサービスのデータ送信がある場合、異なるサービスタイプの端末に対して、異なる時間ユニットパターンを以下のように定義することができる。ＵＲＬＬＣサービスを有する端末に対して、ｅＭＢＢサービスよりも多くのＤＬ領域およびＵＬ領域を時間ユニットで定義することができ、例えば、２つのＤＬ領域および２つのＵＬ領域が定義される。図４Ｃおよび図４Ｄに示すように、１番目のＤＬ領域が１番目のＵＬ領域に対応し、２番目のＤＬ領域が２番目のＵＬ領域に対応する。このとき、端末３の時間ユニットは、端末１と整合し、時間ユニットでの端末３のＤＬ領域は、他の端末のＤＬ領域またはＧＰ領域と時間的に重なり合い、時間ユニットでの端末３のＵＬ領域は、他の端末のＵＬ領域またはＧＰ領域と時間的に重なり合う。これにより、複数の端末が、ＵＬ/ＤＬ間の干渉なしに同時に動作することができる。その処理は前述したものと同様であるので、重複する説明は省略する。
【０１３８】
本実施例では、ｅＭＢＢサービスに対して、１つの例としてのみ説明したように、１つのＤＬ領域および１つのＵＬ領域が時間ユニットで定義されるが、もちろん、複数のＤＬ領域および複数のＵＬ領域が定義されることもできる。そして、時間ユニットで複数のＤＬ領域と複数のＵＬ領域とを定義すると、複数のＤＬ領域と複数のＵＬ領域との対応関係が規定される。例えば、２つのＤＬ領域と２つのＵＬ領域が時間ユニットで定義されるので、図４ＤのＵＲＬＬＣサービスと同様のフィードバックとスケジューリング対応関係が定義され得る。
【０１３９】
上記方法の処理フローはソフトウェアプログラムで実行することができ、ソフトウェアプログラムは記憶媒体に格納することができ、格納されたソフトウェアプログラムが呼び出されると、それは上記方法のステップを実行することができる。
【０１４０】
同様な発明思想に基づき、本発明に係る実施例は端末をさらに提供し、当該端末は図２に示される方法と同様の原理の下で問題に対処するので、当該端末の実施は方法の実施を参照することができ、繰り返しの説明は、ここでは省略する。
【０１４１】
図５に示す実施例は端末を提供し、前記端末は、
前記端末の時間ユニットの開始位置を決定し、前記時間ユニットにおけるアップリンク領域及びダウンリンク領域の割り当てを決定するように構成される、決定ユニット５１と、
前記時間ユニットのダウンリンク領域において、ダウンリンク制御チャネルを検出するように構成される、検出ユニット５２と、
前記検出ユニットの検出結果に従い、前記ダウンリンク領域に対応するアップリンク領域において、アップリンク伝送を行うように構成される、伝送ユニット５３とを備える。
【０１４２】
オプションとして、前記決定ユニット５１は、
第１の構成シグナリングを受信し、前記第１の構成シグナリングに従い、前記時間ユニットの開始位置を決定し、
ここで、前記第１の構成シグナリングは、前記時間ユニット所定の基準時間ユニットに対する時間オフセットを運び、または、前記第１の構成シグナリングは、前記時間ユニットの開始位置に関する情報を運ぶ。
【０１４３】
オプションとして、前記決定ユニット５１は、
第２の構成シグナリングを受信し、前記第２の構成シグナリングに従い、前記時間ユニットにおけるアップリンク領域及びダウンリンク領域の割り当てを決定し、または、
アップリンクスケジューリングシグナリングに従い、前記時間ユニットにおけるアップリンク領域を決定し、または、
ダウンリンク伝送のＡＣＫ／ＮＡＣＫフィードバック位置に従い、前記ＡＣＫ／ＮＡＣＫを運ぶアップリンク領域を決定し、
前記第２の構成シグナリングは、前記時間ユニットにおけるアップリンク領域、ダウンリンク領域及びＧＰ領域のうちの少なくとも１つの領域の長さ及び位置に関する情報を運び、または、
前記第２の構成シグナリングは、前記時間ユニットにおけるアップリンク領域及び/またはダウンリンク領域の割り当てパターンを示す情報を運び、前記時間ユニットにおけるアップリンク領域及び/またはダウンリンク領域の割り当てパターンは、事前に設定された１個の時間ユニットにおけるアップリンク領域及び/またはダウンリンク領域の複数の割り当てパターンのうちの１つであり、または、
前記第２の構成シグナリングは、前記時間ユニットにおけるダウンリンク領域の開始位置または終了位置に関する情報を運び、または、
前記第２の構成シグナリングは、前記時間ユニットにおけるアップリンク領域の開始位置または終了位置に関する情報を運ぶ。
【０１４４】
オプションとして、前記伝送ユニット５３は、
アップリンクＤＣＩフォーマットを利用するダウンリンク制御チャネルが検出される場合、前記ダウンリンク制御チャネルの所在のダウンリンク領域に対応するアップリンク領域において、アップリンク共有チャネル伝送を行い、または、
ダウンリンクＤＣＩフォーマットでダウンリンクＳＰＳリソース解放を示すダウンリンク制御チャネルが検出される場合、前記ダウンリンク制御チャネルの所在のダウンリンク領域に対応するアップリンク領域において、ＡＣＫ／ＮＡＣＫフィードバックを行い、または、
ダウンリンク共有チャネルが検出される場合、前記ダウンリンク共有チャネルの所在のダウンリンク領域に対応するアップリンク領域において、ＡＣＫ／ＮＡＣＫフィードバックを行う。
【０１４５】
ここで、ダウンリンクＤＣＩフォーマットでダウンリンクＳＰＳリソース解放を示すダウンリンク制御チャネルが検出される場合、前記ダウンリンク領域に対応するアップリンク領域は、前記ダウンリンク制御チャネルの所在のダウンリンク領域と同一の時間ユニットにおいて事前に約定または構成されたアップリンク領域であり、または、前記ダウンリンク制御チャネル内の指示フィールドにより決定されたアップリンク領域であり、または、前記ダウンリンク制御チャネルの所在のダウンリンク領域の終了位置から所定時間長だけ離間したアップリンク領域であり、
または、
ダウンリンク共有チャネルが検出される場合、前記ダウンリンク領域に対応するアップリンク領域は、前記ダウンリンク共有チャネルの所在のダウンリンク領域と同一の時間ユニットにおいて事前に約定または構成されたアップリンク領域であり、または、前記ダウンリンク共有チャネルのスケジューリングシグナリング内の指示フィールドにより決定されたアップリンク領域であり、または、前記ダウンリンク共有チャネルの所在のダウンリンク領域の終了位置から所定時間長だけ離間したアップリンク領域であり、
または、
アップリンクＤＣＩフォーマットを利用するダウンリンク制御チャネルが検出される場合、前記ダウンリンク領域に対応するアップリンク領域は、前記ダウンリンク制御チャネルの所在のダウンリンク領域と同一の時間ユニットにおいて事前に約定または構成されたアップリンク領域であり、または、前記ダウンリンク制御チャネルの所在のダウンリンク領域の所在の時間ユニットの後ろの時間ユニットにおいて事前に約定または構成されたアップリンク領域であり、または、前記ダウンリンク制御チャネル内の指示フィールドにより決定されたアップリンク領域である。
【０１４６】
図６に示す実施例は他の端末を提供し、前記端末は、プロセッサ６００の制御下でデータを送受信するように構成される送受信機６１０と、当該送受信機と接続され少なくとも１つのプロセッサ６００とを備える。
【０１４７】
前記プロセッサ６００は、メモリ６２０に格納されたプログラムを読み出し、
前記端末の時間ユニットの開始位置を決定し、前記時間ユニットにおけるアップリンク領域及びダウンリンク領域の割り当てを決定し、前記時間ユニットのダウンリンク領域において、ダウンリンク制御チャネルを検出し、及び、前記検出ユニットの検出結果に従い、送受信機を通して６１０前記ダウンリンク領域に対応するアップリンク領域において、アップリンク伝送を行う。
【０１４８】
図６では、バスアーキテクチャは、いずれ数の相互接続するバス及びブリッジを備える。具体的に、プロセッサ６００が代表となる１つまたは複数のプロセッサ及びメモリ６２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインタフェースはインタフェースを提供する。送受信機６１０は、複数の部品であることができ、即ち、送信機及び受信機を備え、伝送媒体を介して他の装置と通信するユニットを提供する。異なるユーザー設備に対し、ユーザーインタフェース６３０は、外部接続または内部接続に必要な設備のインタフェースであることもできる。接続する設備は、キーパッド、ディスプレー、スピーカー、マイクロホン、ジョイスティック等を備えるが、これに限られない。プロセッサ６００バスアーキテクチャ及び通常の処理を監視し、タイミング、周辺インタフェース、電圧調整、電力管理、その他の制御機能など、さまざまな機能も利用できる。メモリ６２０はプロセッサ６００が動作する際に利用するデータを記憶することができる。
【０１４９】
オプションとして、プロセッサ６００は、ＣＰＵ、ＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＦＰＧＡ（Ｆｉｅｌｄ−Ｐｒｏｇｒａｍｍａｂｌｅ Ｇａｔｅ Ａｒｒａｙ）またはＣＰＬＤ（Ｃｏｍｐｌｅｘ Ｐｒｏｇｒａｍｍａｂｌｅ Ｌｏｇｉｃ Ｄｅｖｉｃｅ）であることができる。
【０１５０】
オプションとして、プロセッサ６００は、メモリ６２０に格納されたプログラムを読み出し、送受信機６１０を通して第１の構成シグナリングを受信し、前記第１の構成シグナリングに従い、前記時間ユニットの開始位置を決定する。
【０１５１】
ここで、前記第１の構成シグナリングは、前記時間ユニット所定の基準時間ユニットに対する時間オフセットを運び、または、前記第１の構成シグナリングは、前記時間ユニットの開始位置に関する情報を運ぶ。
【０１５２】
オプションとして、プロセッサ６００は、メモリ６２０に格納されたプログラムを読み出し、送受信機６１０を通して第２の構成シグナリングを受信し、前記第２の構成シグナリングに従い、前記時間ユニットにおけるアップリンク領域及びダウンリンク領域の割り当てを決定し、または、
アップリンクスケジューリングシグナリングに従い、前記時間ユニットにおけるアップリンク領域を決定し、または、
ダウンリンク伝送のＡＣＫ／ＮＡＣＫフィードバック位置に従い、前記ＡＣＫ／ＮＡＣＫを運ぶアップリンク領域を決定し、
前記第２の構成シグナリングは、前記時間ユニットにおけるアップリンク領域、ダウンリンク領域及びＧＰ領域のうちの少なくとも１つの領域の長さ及び位置に関する情報を運び、または、
前記第２の構成シグナリングは、前記時間ユニットにおけるアップリンク領域及び/またはダウンリンク領域の割り当てパターンを示す情報を運び、前記時間ユニットにおけるアップリンク領域及び/またはダウンリンク領域の割り当てパターンは、事前に設定された１個の時間ユニットにおけるアップリンク領域及び/またはダウンリンク領域の複数の割り当てパターンのうちの１つであり、または、
前記第２の構成シグナリングは、前記時間ユニットにおけるダウンリンク領域の開始位置または終了位置に関する情報を運び、または、
前記第２の構成シグナリングは、前記時間ユニットにおけるアップリンク領域の開始位置または終了位置に関する情報を運ぶ。
【０１５３】
オプションとして、前記プロセッサ６００は、メモリ６２０に格納されたプログラムを読み出し、
アップリンクＤＣＩフォーマットを利用するダウンリンク制御チャネルが検出される場合、送受信機６１０を通して前記ダウンリンク制御チャネルの所在のダウンリンク領域に対応するアップリンク領域において、アップリンク共有チャネル伝送を行い、または、
ダウンリンクＤＣＩフォーマットでダウンリンクＳＰＳリソース解放を示すダウンリンク制御チャネルが検出される場合、送受信機６１０を通して前記ダウンリンク制御チャネルの所在のダウンリンク領域に対応するアップリンク領域において、ＡＣＫ／ＮＡＣＫフィードバックを行い、または、
ダウンリンク共有チャネルが検出される場合、送受信機６１０を通して前記ダウンリンク共有チャネルの所在のダウンリンク領域に対応するアップリンク領域において、ＡＣＫ／ＮＡＣＫフィードバックを行う。
【０１５４】
ここで、ダウンリンクＤＣＩフォーマットでダウンリンクＳＰＳリソース解放を示すダウンリンク制御チャネルが検出される場合、前記ダウンリンク領域に対応するアップリンク領域は、前記ダウンリンク制御チャネルの所在のダウンリンク領域と同一の時間ユニットにおいて事前に約定または構成されたアップリンク領域であり、または、前記ダウンリンク制御チャネル内の指示フィールドにより決定されたアップリンク領域であり、または、前記ダウンリンク制御チャネルの所在のダウンリンク領域の終了位置から所定時間長だけ離間したアップリンク領域であり、
または、
ダウンリンク共有チャネルが検出される場合、前記ダウンリンク領域に対応するアップリンク領域は、前記ダウンリンク共有チャネルの所在のダウンリンク領域と同一の時間ユニットにおいて事前に約定または構成されたアップリンク領域であり、または、前記ダウンリンク共有チャネルのスケジューリングシグナリング内の指示フィールドにより決定されたアップリンク領域であり、または、前記ダウンリンク共有チャネルの所在のダウンリンク領域の終了位置から所定時間長だけ離間したアップリンク領域であり、
または、
アップリンクＤＣＩフォーマットを利用するダウンリンク制御チャネルが検出される場合、前記ダウンリンク領域に対応するアップリンク領域は、前記ダウンリンク制御チャネルの所在のダウンリンク領域と同一の時間ユニットにおいて事前に約定または構成されたアップリンク領域であり、または、前記ダウンリンク制御チャネルの所在のダウンリンク領域の所在の時間ユニットの後ろの時間ユニットにおいて事前に約定または構成されたアップリンク領域であり、または、前記ダウンリンク制御チャネル内の指示フィールドにより決定されたアップリンク領域である。
【０１５５】
同様な発明思想に基づき、本発明に係る実施例は基地局をさらに提供し、当該基地局は図３に示される方法と同様の原理の下で問題に対処するので、当該基地局の実施は方法の実施を参照することができ、繰り返しの説明は、ここでは省略する。
【０１５６】
図７に示す実施例は基地局を提供し、前記基地局は、
端末の時間ユニットの開始位置を決定し、また、前記端末の時間ユニットにおけるアップリンク領域及びダウンリンク領域の割り当てを決定するように構成される、決定ユニット７１と、
前記端末の時間ユニットのダウンリンク領域において、前記端末にダウンリンク伝送を送信するように構成される、ダウンリンク伝送ユニット７２と、
前記ダウンリンク伝送の所在のダウンリンク領域に対応するアップリンク領域において、前記端末のアップリンク伝送を受信するように構成される、受信ユニット７３とを備える。
オプションとして、前記決定ユニット７１は、さらに、第１の構成シグナリングを通して、前記開始位置を前記端末に通知する。
【０１５７】
ここで、前記第１の構成シグナリングは、所定の基準時間ユニットに対する前記端末の時間ユニットの時間オフセットを運び、または、
前記第１の構成シグナリングは、前記端末の時間ユニットの開始位置に関する情報を運ぶ。
【０１５８】
オプションとして、第１の構成シグナリングを通して、セルの端部にある端末に対し時間ユニットの固定開始位置を構成し、前記時間ユニットの固定開始位置は、事前に定義されたまたは約定された開始位置であり、または、
第１の構成シグナリングを通して、セルの中心にある端末に対し、同じまたは異なる時間ユニットの開始位置を構成する。
【０１５９】
オプションとして、前記決定ユニット７１は、さらに、第２の構成シグナリングを通して、前記端末の時間ユニットにおけるアップリンク領域及び/またはダウンリンク領域の割り当てを、前記端末に通知する。
【０１６０】
ここで、前記第２の構成シグナリングは、前記時間ユニットにおけるアップリンク領域、ダウンリンク領域及びＧＰ領域のうちの少なくとも１つの領域の長さ及び位置に関する情報を運び、または、
前記第２の構成シグナリングは、前記時間ユニットにおけるアップリンク領域及び/またはダウンリンク領域の割り当てパターンを示す情報を運び、前記時間ユニットにおけるアップリンク領域及び/またはダウンリンク領域の割り当てパターンは、事前に設定された１個の時間ユニットにおけるアップリンク領域及び/またはダウンリンク領域の複数の割り当てパターンのうちの１つであり、または、
前記第２の構成シグナリングは、前記時間ユニットにおけるダウンリンク領域の開始位置または終了位置に関する情報を運び、または、
前記第２の構成シグナリングは、前記時間ユニットにおけるアップリンク領域の開始位置または終了位置に関する情報を運ぶ。
【０１６１】
オプションとして、前記決定ユニット７１は、前記端末の１個の時間ユニットにおけるダウンリンク領域を他の１個の端末の１個の時間ユニットにおけるＧＰ領域またはダウンリンク領域として決定し、及び/または
前記端末の１個の時間ユニットにおけるアップリンク領域を他の１個の端末の１個の時間ユニットにおけるＧＰ領域またはアップリンク領域として決定する。
【０１６２】
オプションとして、前記受信ユニット７３は、
前記ダウンリンク伝送が、ダウンリンクＤＣＩフォーマットでダウンリンクＳＰＳリソース解放を示すダウンリンク制御チャネルを介する伝送である場合、前記ダウンリンク制御チャネルの所在のダウンリンク領域に対応するアップリンク領域において、前記ダウンリンク制御チャネルのＡＣＫ／ＮＡＣＫフィードバックを受信し、または、
前記ダウンリンク伝送がダウンリンク共有チャネルを介する伝送である場合、前記ダウンリンク共有チャネルの所在のダウンリンク領域に対応するアップリンク領域において、前記ダウンリンク共有チャネルのＡＣＫ／ＮＡＣＫフィードバックを受信し、または、
前記ダウンリンク伝送がアップリンクＤＣＩフォーマットを利用するダウンリンク制御チャネルを介する伝送である場合、前記ダウンリンク制御チャネルの所在のダウンリンク領域に対応するアップリンク領域において、前記ダウンリンク制御チャネルに対応するアップリンク共有チャネルを受信する。
【０１６３】
前記ダウンリンク伝送が、ダウンリンクＤＣＩフォーマットでダウンリンクＳＰＳリソース解放を示すダウンリンク制御チャネルを介する伝送である場合、前記ダウンリンク伝送の所在のダウンリンク領域に対応するアップリンク領域は、前記ダウンリンク制御チャネルの所在のダウンリンク領域と同一の時間ユニットにおいて事前に約定または構成されたアップリンク領域であり、または、前記ダウンリンク制御チャネル内の指示フィールドに示されたアップリンク領域であり、または、前記ダウンリンク制御チャネルの所在のダウンリンク領域の終了位置から所定時間長だけ離間したアップリンク領域であり、
または、
前記ダウンリンク伝送がダウンリンク共有チャネルを介する伝送である場合、前記ダウンリンク伝送の所在のダウンリンク領域に対応するアップリンク領域は、前記ダウンリンク共有チャネルの所在のダウンリンク領域と同一の時間ユニットにおいて事前に約定または構成されたアップリンク領域であり、または、前記ダウンリンク共有チャネルのスケジューリングシグナリング内の指示フィールドに示されたアップリンク領域であり、または、前記ダウンリンク共有チャネルの所在のダウンリンク領域の終了位置から所定時間長だけ離間したアップリンク領域であり、
または、
前記ダウンリンク伝送がアップリンクＤＣＩフォーマットを利用するダウンリンク制御チャネルを介する伝送である場合、前記ダウンリンク伝送の所在のダウンリンク領域に対応するアップリンク領域は、前記ダウンリンク制御チャネルの所在のダウンリンク領域と同一の時間ユニットにおいて事前に約定または構成されたアップリンク領域であり、または、前記ダウンリンク制御チャネルの所在のダウンリンク領域の所在の時間ユニットの後ろの時間ユニットにおいて事前に約定または構成されたアップリンク領域であり、または、前記ダウンリンク制御チャネルの指示フィールドに示されたアップリンク領域である。
【０１６４】
図８に示す実施例は他の基地局を提供し、前記基地局は、プロセッサ５００の制御下でデータを送受信するように構成される送受信機５１０と、当該送受信機５１０と接続される少なくとも１つのプロセッサ５００とを備える。
【０１６５】
前記プロセッサ５００は、メモリ５２０に格納されたプログラムを読み出し、
端末の時間ユニットの開始位置を決定し、また、前記端末の時間ユニットにおけるアップリンク領域及びダウンリンク領域の割り当てを決定し、前記端末の時間ユニットのダウンリンク領域において、送受信機５１０を通して前記端末にダウンリンク伝送を送信し、前記ダウンリンク伝送の所在のダウンリンク領域に対応するアップリンク領域において、送受信機５１０を通して前記端末のアップリンク伝送を受信する。
【０１６６】
ここで、図８では、バスアーキテクチャは、いずれ数の相互接続するバス及びブリッジを備える。具体的に、プロセッサ５００が代表となる１つまたは複数のプロセッサ及びメモリ５２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインタフェースはインタフェースを提供する。送受信機５１０は、複数の部品であることができ、即ち、送信機及び受信機を備え、伝送媒体を介して他の装置と通信するユニットを提供する。プロセッサ５００バズアーキテクチャ及び通常の処理を監視し、タイミング、周辺インタフェース、電圧調整、電力管理、その他の制御機能など、さまざまな機能も利用できる。メモリ５２０はプロセッサ５００が動作する際に利用するデータを記憶することができる。
【０１６７】
オプションとして、プロセッサ５００は、CPU、ASIC、FPGAまたはCPLDである。
【０１６８】
オプションとして、プロセッサ５００は、メモリ５２０に格納されたプログラムを読み出し、第１の構成シグナリングを通して、前記開始位置を前記端末に通知する。
【０１６９】
ここで、前記第１の構成シグナリングは、所定の基準時間ユニットに対する前記端末の時間ユニットの時間オフセットを運び、または、
前記第１の構成シグナリングは、前記端末の時間ユニットの開始位置に関する情報を運ぶ。
オプションとして、第１の構成シグナリングを通して、セルの端部にある端末に対し時間ユニットの固定開始位置を構成し、前記時間ユニットの固定開始位置は、事前に定義されたまたは約定された開始位置であり、または、
第１の構成シグナリングを通して、セルの中心にある端末に対し、同じまたは異なる時間ユニットの開始位置を構成する。
【０１７０】
オプションとして、プロセッサ５００は、メモリ５２０に格納されたプログラムを読み出し、第２の構成シグナリングを通して、前記端末の時間ユニットにおけるアップリンク領域及び/またはダウンリンク領域の割り当てを、前記端末に通知する。
【０１７１】
前記第２の構成シグナリングは、前記時間ユニットにおけるアップリンク領域、ダウンリンク領域及びＧＰ領域のうちの少なくとも１つの領域の長さ及び位置に関する情報を運び、または、
前記第２の構成シグナリングは、前記時間ユニットにおけるアップリンク領域及び/またはダウンリンク領域の割り当てパターンを示す情報を運び、前記時間ユニットにおけるアップリンク領域及び/またはダウンリンク領域の割り当てパターンは、事前に設定された１個の時間ユニットにおけるアップリンク領域及び/またはダウンリンク領域の複数の割り当てパターンのうちの１つであり、または、
前記第２の構成シグナリングは、前記時間ユニットにおけるダウンリンク領域の開始位置または終了位置に関する情報を運び、または、
前記第２の構成シグナリングは、前記時間ユニットにおけるアップリンク領域の開始位置または終了位置に関する情報を運ぶ。
【０１７２】
オプションとして、前記プロセッサ５００は、メモリ５２０に格納されたプログラムを読み出し、前記端末の１個の時間ユニットにおけるダウンリンク領域を他の１個の端末の１個の時間ユニットにおけるＧＰ領域またはダウンリンク領域として決定し、及び/または
前記端末の１個の時間ユニットにおけるアップリンク領域を他の１個の端末の１個の時間ユニットにおけるＧＰ領域またはアップリンク領域として決定する。
【０１７３】
オプションとして、プロセッサ５００は、メモリ５２０に格納されたプログラムを読み出し、
前記ダウンリンク伝送が、ダウンリンクＤＣＩフォーマットでダウンリンクＳＰＳリソース解放を示すダウンリンク制御チャネルを介する伝送である場合、前記ダウンリンク制御チャネルの所在のダウンリンク領域に対応するアップリンク領域において、送受信機５１０を通して前記ダウンリンク制御チャネルのＡＣＫ／ＮＡＣＫフィードバックを受信し、または、
前記ダウンリンク伝送がダウンリンク共有チャネルを介する伝送である場合、前記ダウンリンク共有チャネルの所在のダウンリンク領域に対応するアップリンク領域において、送受信機５１０を通して前記ダウンリンク共有チャネルのＡＣＫ／ＮＡＣＫフィードバックを受信し、または、
前記ダウンリンク伝送がアップリンクＤＣＩフォーマットを利用するダウンリンク制御チャネルを介する伝送である場合、前記ダウンリンク制御チャネルの所在のダウンリンク領域に対応するアップリンク領域において、送受信機５１０を通して前記ダウンリンク制御チャネルに対応するアップリンク共有チャネルを受信する。
【０１７４】
前記ダウンリンク伝送が、ダウンリンクＤＣＩフォーマットでダウンリンクＳＰＳリソース解放を示すダウンリンク制御チャネルを介する伝送である場合、前記ダウンリンク伝送の所在のダウンリンク領域に対応するアップリンク領域は、前記ダウンリンク制御チャネルの所在のダウンリンク領域と同一の時間ユニットにおいて事前に約定または構成されたアップリンク領域であり、または、前記ダウンリンク制御チャネル内の指示フィールドに示されたアップリンク領域であり、または、前記ダウンリンク制御チャネルの所在のダウンリンク領域の終了位置から所定時間長だけ離間したアップリンク領域であり、
または、
前記ダウンリンク伝送がダウンリンク共有チャネルを介する伝送である場合、前記ダウンリンク伝送の所在のダウンリンク領域に対応するアップリンク領域は、前記ダウンリンク共有チャネルの所在のダウンリンク領域と同一の時間ユニットにおいて事前に約定または構成されたアップリンク領域であり、または、前記ダウンリンク共有チャネルのスケジューリングシグナリング内の指示フィールドに示されたアップリンク領域であり、または、前記ダウンリンク共有チャネルの所在のダウンリンク領域の終了位置から所定時間長だけ離間したアップリンク領域であり、
または、
前記ダウンリンク伝送がアップリンクＤＣＩフォーマットを利用するダウンリンク制御チャネルを介する伝送である場合、前記ダウンリンク伝送の所在のダウンリンク領域に対応するアップリンク領域は、前記ダウンリンク制御チャネルの所在のダウンリンク領域と同一の時間ユニットにおいて事前に約定または構成されたアップリンク領域であり、または、前記ダウンリンク制御チャネルの所在のダウンリンク領域の所在の時間ユニットの後ろの時間ユニットにおいて事前に約定または構成されたアップリンク領域であり、または、前記ダウンリンク制御チャネルの指示フィールドに示されたアップリンク領域である。
【０１７５】
本発明の実施例に係る方法及び装置では、基地局は、各ＵＥが端末固有の時間ユニットで送信するように各端末に対して端末固有の時間ユニットを構成する。異なる端末の時間ユニットの開始位置は異なってもよく、異なる端末の時間ユニットに含まれるアップリンク領域及び/またはダウンリンク領域の数と長さも異なってもよく、こうして、柔軟で多様なリソースの割り当てをサポートすることができる。
【０１７６】
本領域の技術者として、本発明の実施本発明に係る実施形態が方法、システム、又はコンピュータプログラム製品を提供できるため、本発明は完全なハードウェア実施形態、完全なソフトウェア実施形態、又はソフトウェアとハードウェアの両方を結合した実施形態を採用できることがわかるはずである又、本発明は一つ又は複数のコンピュータプログラム製品の形式を採用できる。当該製品は、コンピュータ使用可能なプログラムコードを含むコンピュータ利用可能な記憶媒体（ディスク記憶装置、ＣＤ-ＲＯＭ、光学記憶装置などを含むがそれとは限らない）において実施する。
【０１７７】
以上は本発明に係る実施形態の方法、装置（システム）、及びコンピュータプログラム製品のフロー及び／又はブロック図により本発明を記述した。理解すべきことは、コンピュータプログラムの指令により、フロー及び／又はブロック図における各フロー及び／又はブロックと、フロー及び／又はブロック図におけるフロー及び／又はブロックの結合を実現できる。プロセッサはこれらのコンピュータプログラム指令を汎用コンピュータ、専用コンピュータ、組込み式処理装置、又は他のプログラミング可能なデータ処理装置に提供でき、コンピュータ又は他のプログラミング可能なデータ処理装置のプロセッサは、これらのコンピュータプログラム指令を実行し、フロー図における一つ又は複数のフロー及び／又はブロック図における１つのブロック又は複数のブロックに指定される機能を実現する。
【０１７８】
それらのコンピュータプログラム指令は又、コンピュータ又は他のプログラミング可能なデータ処理装置を特定手法で動作させるコンピュータ読取記憶装置に記憶できる。これにより、指令を含む装置は当該コンピュータ読取記憶装置内の指令を実行でき、又、フロー図における１つまたは複数のフローと／又はブロック図における１つ又は複数のブロックにおいて指定される機能を実現できる。
【０１７９】
これらのコンピュータプログラム指令は又、コンピュータ又は他のプログラミング可能なデータ処理装置に実装できる。コンピュータプログラム指令が実装されたコンピュータ又は他のプログラミング可能な装置は、一連な操作ステップを実行することにより、関連の処理を実現し、コンピュータ又は他のプログラミング可能な装置において実行される指令により、フロー図における一つ又は複数のフローと／又はブロック図における一つ又は複数のブロックに指定される機能を実現する。
【０１８０】
本発明の好ましい実施形態について記述したが、当業者は、本発明の基本的な技術思想を把握した上、多種多様な変更と変形を行える。そのような全ての変形と変更は本発明に記述された実施形態と共に、付加する請求の範囲の範囲内にあると解釈されるべきである。
【０１８１】
無論、当業者により、上述した実施形態に記述された技術的な解決手段を改造し、又はその中の一部の技術要素を置換することもできる。そのような改造と置換は本発明の各実施形態の技術の範囲から逸脱するとは見なされない。
【図１】
2019533361.tif 000005
【図２】
2019533361.tif 000006
【図３】
2019533361.tif 000007
【図４Ａ】
2019533361.tif 000008
【図４Ｂ】
2019533361.tif 000009
【図４Ｃ】
2019533361.tif 000010
【図４Ｄ】
2019533361.tif 000011
【図５】
2019533361.tif 000012
【図６】
2019533361.tif 000013
【図７】
2019533361.tif 000014
【図８】
2019533361.tif 000015
【手続補正書】
【提出日】平成31年3月25日(2019.3.25)
【手続補正１】
【補正対象書類名】特許請求の範囲
【補正対象項目名】全文
【補正方法】変更
【補正の内容】
【特許請求の範囲】
【請求項１】
端末は、前記端末の時間ユニットの開始位置を決定し、前記時間ユニットにおけるアップリンク領域及びダウンリンク領域の割り当てを決定するステップと、
前記端末は、前記時間ユニットのダウンリンク領域において、ダウンリンク制御チャネルを検出し、
前記端末は、検出結果に従い、前記ダウンリンク領域に対応するアップリンク領域において、アップリンク伝送を行うステップと
を備えることを特徴とするデータ伝送のための方法。
【請求項２】
前記端末が、前記端末の時間ユニットの開始位置を決定する場合、
前記端末は、第１の構成シグナリングを受信し、前記第１の構成シグナリングに従い、前記時間ユニットの開始位置を決定し、
前記第１の構成シグナリングは、前記時間ユニット所定の基準時間ユニットに対する時間オフセットを運び、または、前記第１の構成シグナリングは、前記時間ユニットの開始位置に関する情報を運ぶことを特徴とする請求項１に記載のデータ伝送のための方法。
【請求項３】
前記端末が、前記時間ユニットにおけるアップリンク領域及びダウンリンク領域の割り当てを決定する場合、
前記端末は、第２の構成シグナリングを受信し、前記第２の構成シグナリングに従い、前記時間ユニットにおけるアップリンク領域及びダウンリンク領域の割り当てを決定し、
または、
前記端末は、アップリンクスケジューリングシグナリングに従い、前記時間ユニットにおけるアップリンク領域を決定し、または、
前記端末は、ダウンリンク伝送の肯定応答（ＡＣＫ）/否定応答（ＮＡＣＫ）フィードバック位置に従い、前記ＡＣＫ／ＮＡＣＫを運ぶアップリンク領域を決定し、
前記第２の構成シグナリングは、前記時間ユニットにおけるアップリンク領域、ダウンリンク領域及びガード期間（ＧＰ）領域のうちの少なくとも１つの領域の長さ及び位置に関する情報を運び、または、
前記第２の構成シグナリングは、前記時間ユニットにおけるアップリンク領域及び/またはダウンリンク領域の割り当てパターンを示す情報を運び、前記時間ユニットにおけるアップリンク領域及び/またはダウンリンク領域の割り当てパターンは、事前に設定された１個の時間ユニットにおけるアップリンク領域及び/またはダウンリンク領域の複数の割り当てパターンのうちの１つであり、または、
前記第２の構成シグナリングは、前記時間ユニットにおけるダウンリンク領域の開始位置または終了位置に関する情報を運び、または、
前記第２の構成シグナリングは、前記時間ユニットにおけるアップリンク領域の開始位置または終了位置に関する情報を運ぶことを特徴とする請求項１に記載のデータ伝送のための方法。
【請求項４】
前記端末が、検出結果に従い、前記ダウンリンク領域に対応するアップリンク領域において、アップリンク伝送を行う場合、
アップリンクダウンリンク制御情報ＤＣＩフォーマットを利用するダウンリンク制御チャネルが検出される場合、前記端末は、前記ダウンリンク制御チャネルの所在のダウンリンク領域に対応するアップリンク領域において、アップリンク共有チャネル伝送を行い、  または、
ダウンリンクＤＣＩフォーマットでダウンリンクの半永続的スケジューリング（ＳＰＳ）リソース解放を示すダウンリンク制御チャネルが検出される場合、前記端末は、前記ダウンリンク制御チャネルの所在のダウンリンク領域に対応するアップリンク領域において、ＡＣＫ／ＮＡＣＫフィードバックを行い、または、
ダウンリンク共有チャネルが検出される場合、前記端末は、前記ダウンリンク共有チャネルの所在のダウンリンク領域に対応するアップリンク領域において、ＡＣＫ／ＮＡＣＫフィードバックを行うことを特徴とする請求項１に記載のデータ伝送のための方法。
【請求項５】
ダウンリンクＤＣＩフォーマットでダウンリンクＳＰＳリソース解放を示すダウンリンク制御チャネルが検出される場合、前記ダウンリンク領域に対応するアップリンク領域は、前記ダウンリンク制御チャネルの所在のダウンリンク領域と同一の時間ユニットにおいて事前に約定または構成されたアップリンク領域であり、または、前記ダウンリンク制御チャネル内の指示フィールドにより決定されたアップリンク領域であり、または、前記ダウンリンク制御チャネルの所在のダウンリンク領域の終了位置から所定時間長だけ離間したアップリンク領域であり、
または、
ダウンリンク共有チャネルが検出される場合、前記ダウンリンク領域に対応するアップリンク領域は、前記ダウンリンク共有チャネルの所在のダウンリンク領域と同一の時間ユニットにおいて事前に約定または構成されたアップリンク領域であり、または、前記ダウンリンク共有チャネルのスケジューリングシグナリング内の指示フィールドにより決定されたアップリンク領域であり、または、前記ダウンリンク共有チャネルの所在のダウンリンク領域の終了位置から所定時間長だけ離間したアップリンク領域であり、
または、
アップリンクＤＣＩフォーマットを利用するダウンリンク制御チャネルが検出される場合、前記ダウンリンク領域に対応するアップリンク領域は、前記ダウンリンク制御チャネルの所在のダウンリンク領域と同一の時間ユニットにおいて事前に約定または構成されたアップリンク領域であり、または、前記ダウンリンク制御チャネルの所在のダウンリンク領域の所在の時間ユニットの後ろの時間ユニットにおいて事前に約定または構成されたアップリンク領域であり、または、前記ダウンリンク制御チャネル内の指示フィールドにより決定されたアップリンク領域であることを特徴とする請求項４に記載のデータ伝送のための方法。
【請求項６】
前記時間ユニットは１つ以上のスロットであり、または、
前記時間ユニットは１つ以上のサブフレームであり、
異なるサービスを伝送するための時間ユニットに含まれるダウンリンク領域の数は、同じであるかまたは異なり、及び/または
異なるサービスを伝送するための時間ユニットに含まれるアップリンク領域の数は、同じであるかまたは異なり、
前記時間ユニットが少なくとも２個のダウンリンク領域を含む場合、それぞれのダウンリンク領域の長さは同じでも異なってもよく、及び/または
前記時間ユニットが少なくとも２個のアップリンク領域を含む場合、それぞれのアップリンク領域の長さは同じでも異なってもよいことを特徴とする請求項１ないし請求項５のいずれか１項に記載のデータ伝送のための方法。
【請求項７】
基地局は、端末の時間ユニットの開始位置を決定し、また、前記端末の時間ユニットにおけるアップリンク領域及びダウンリンク領域の割り当てを決定するステップと、
前記基地局は、前記端末の時間ユニットのダウンリンク領域において、前記端末にダウンリンク伝送を送信するステップと、
前記基地局は、前記ダウンリンク伝送の所在のダウンリンク領域に対応するアップリンク領域において、前記端末のアップリンク伝送を受信するステップ
とを備えることを特徴とするデータ伝送のための方法。
【請求項８】
前記基地局が端末の時間ユニットの開始位置を決定した後に、
前記基地局は、第１の構成シグナリングを通して、前記開始位置を前記端末に通知し、
前記第１の構成シグナリングは、所定の基準時間ユニットに対する前記端末の時間ユニットの時間オフセットを運び、または、
前記第１の構成シグナリングは、前記端末の時間ユニットの開始位置に関する情報を運ぶことを特徴とする請求項７に記載のデータ伝送のための方法。
【請求項９】
前記基地局は、第１の構成シグナリングを通して、セルの端部にある端末に対し時間ユニットの固定開始位置を構成し、前記時間ユニットの固定開始位置は、事前に定義されたまたは約定された開始位置であり、または、
前記基地局は、第１の構成シグナリングを通して、セルの中心にある端末に対し、同じまたは異なる時間ユニットの開始位置を構成することを特徴とする請求項７に記載のデータ伝送のための方法。
【請求項１０】
前記基地局が前記端末の時間ユニットにおけるアップリンク領域及びダウンリンク領域の割り当てを決定した後に、
前記基地局は、第２の構成シグナリングを通して、前記端末の時間ユニットにおけるアップリンク領域及び/またはダウンリンク領域の割り当てを、前記端末に通知し、
前記第２の構成シグナリングは、前記時間ユニットにおけるアップリンク領域、ダウンリンク領域及びＧＰ領域のうちの少なくとも１つの領域の長さ及び位置に関する情報を運び、または、
前記第２の構成シグナリングは、前記時間ユニットにおけるアップリンク領域及び/またはダウンリンク領域の割り当てパターンを示す情報を運び、前記時間ユニットにおけるアップリンク領域及び/またはダウンリンク領域の割り当てパターンは、事前に設定された１個の時間ユニットにおけるアップリンク領域及び/またはダウンリンク領域の複数の割り当てパターンのうちの１つであり、または、
前記第２の構成シグナリングは、前記時間ユニットにおけるダウンリンク領域の開始位置または終了位置に関する情報を運び、または、
前記第２の構成シグナリングは、前記時間ユニットにおけるアップリンク領域の開始位置または終了位置に関する情報を運ぶことを特徴とする請求項７に記載のデータ伝送のための方法。
【請求項１１】
前記基地局が、端末の時間ユニットの開始位置を決定し、また、前記端末の時間ユニットにおけるアップリンク領域及びダウンリンク領域の割り当てを決定する場合、
前記基地局は、前記端末の１個の時間ユニットにおけるダウンリンク領域を、他の１個の端末の１個の時間ユニットにおけるガード期間（ＧＰ）領域またはダウンリンク領域として決定し、及び/または
前記基地局は、前記端末の１個の時間ユニットにおけるアップリンク領域を他の１個の端末の１個の時間ユニットにおけるＧＰ領域またはアップリンク領域として決定することを特徴とする請求項７に記載のデータ伝送のための方法。
【請求項１２】
前記基地局が、前記ダウンリンク伝送の所在のダウンリンク領域に対応するアップリンク領域において、前記端末のアップリンク伝送を受信する場合、
前記ダウンリンク伝送が、ダウンリンクＤＣＩフォーマットでダウンリンクＳＰＳリソース解放を示すダウンリンク制御チャネルを介する伝送である場合、前記基地局は、前記ダウンリンク制御チャネルの所在のダウンリンク領域に対応するアップリンク領域において、前記ダウンリンク制御チャネルのＡＣＫ／ＮＡＣＫフィードバックを受信し、または、
前記ダウンリンク伝送がダウンリンク共有チャネルを介する伝送である場合、前記基地局は、前記ダウンリンク共有チャネルの所在のダウンリンク領域に対応するアップリンク領域において、前記ダウンリンク共有チャネルのＡＣＫ／ＮＡＣＫフィードバックを受信し、または、
前記ダウンリンク伝送がアップリンクＤＣＩフォーマットを利用するダウンリンク制御チャネルを介する伝送である場合、前記基地局は、前記ダウンリンク制御チャネルの所在のダウンリンク領域に対応するアップリンク領域において、前記ダウンリンク制御チャネルに対応するアップリンク共有チャネルを受信することを特徴とする請求項７に記載のデータ伝送のための方法。
【請求項１３】
前記ダウンリンク伝送が、ダウンリンクＤＣＩフォーマットでダウンリンクＳＰＳリソース解放を示すダウンリンク制御チャネルを介する伝送である場合、前記ダウンリンク伝送の所在のダウンリンク領域に対応するアップリンク領域は、前記ダウンリンク制御チャネルの所在のダウンリンク領域と同一の時間ユニットにおいて事前に約定または構成されたアップリンク領域であり、または、前記ダウンリンク制御チャネル内の指示フィールドに示されたアップリンク領域であり、または、前記ダウンリンク制御チャネルの所在のダウンリンク領域の終了位置から所定時間長だけ離間したアップリンク領域であり、
または、
前記ダウンリンク伝送がダウンリンク共有チャネルを介する伝送である場合、前記ダウンリンク伝送の所在のダウンリンク領域に対応するアップリンク領域は、前記ダウンリンク共有チャネルの所在のダウンリンク領域と同一の時間ユニットにおいて事前に約定または構成されたアップリンク領域であり、または、前記ダウンリンク共有チャネルのスケジューリングシグナリング内の指示フィールドに示されたアップリンク領域であり、または、前記ダウンリンク共有チャネルの所在のダウンリンク領域の終了位置から所定時間長だけ離間したアップリンク領域であり、
または、
前記ダウンリンク伝送がアップリンクＤＣＩフォーマットを利用するダウンリンク制御チャネルを介する伝送である場合、前記ダウンリンク伝送の所在のダウンリンク領域に対応するアップリンク領域は、前記ダウンリンク制御チャネルの所在のダウンリンク領域と同一の時間ユニットにおいて事前に約定または構成されたアップリンク領域であり、または、前記ダウンリンク制御チャネルの所在のダウンリンク領域の所在の時間ユニットの後ろの時間ユニットにおいて事前に約定または構成されたアップリンク領域であり、または、前記ダウンリンク制御チャネルの指示フィールドに示されたアップリンク領域であることを特徴とする請求項１２に記載のデータ伝送のための方法。
【請求項１４】
前記時間ユニットの長さは１つ以上のスロットであり、または、
前記時間ユニットの長さは１つ以上のサブフレームであり、
異なるサービスを伝送するための時間ユニットに含まれるダウンリンク領域の数は、同じであるかまたは異なり、及び/または
異なるサービスを伝送するための時間ユニットに含まれるアップリンク領域の数は、同じであるかまたは異なり、
前記時間ユニットが少なくとも２個のダウンリンク領域を含む場合、それぞれのダウンリンク領域の長さは同じでも異なってもよく、及び/または
前記時間ユニットが少なくとも２個のアップリンク領域を含む場合、それぞれのアップリンク領域の長さは同じでも異なってもよいことを特徴とする請求項８ないし請求項１３のいずれか１項に記載のデータ伝送のための方法。
【請求項１５】
前記端末の時間ユニットの開始位置を決定し、前記時間ユニットにおけるアップリンク領域及びダウンリンク領域の割り当てを決定するように構成される、決定ユニットと、
前記時間ユニットのダウンリンク領域において、ダウンリンク制御チャネルを検出するように構成される、検出ユニットと、
前記検出ユニットの検出結果に従い、前記ダウンリンク領域に対応するアップリンク領域において、アップリンク伝送を行うように構成される、伝送ユニットと
を備えることを特徴とする端末。
【請求項１６】
前記決定ユニットは、方式１及び方式２のいずれかの１つに従って動作し、
方式１
第１の構成シグナリングを受信し、前記第１の構成シグナリングに従い、前記時間ユニットの開始位置を決定し、
前記第１の構成シグナリングは、前記時間ユニット所定の基準時間ユニットに対する時間オフセットを運び、または、前記第１の構成シグナリングは、前記時間ユニットの開始位置に関する情報を運び、
及び/または、
方式２
第２の構成シグナリングを受信し、前記第２の構成シグナリングに従い、前記時間ユニットにおけるアップリンク領域及びダウンリンク領域の割り当てを決定し、または、
アップリンクスケジューリングシグナリングに従い、前記時間ユニットにおけるアップリンク領域を決定し、または、
ダウンリンク伝送のＡＣＫ／ＮＡＣＫフィードバック位置に従い、前記ＡＣＫ／ＮＡＣＫを運ぶアップリンク領域を決定し、
前記第２の構成シグナリングは、前記時間ユニットにおけるアップリンク領域、ダウンリンク領域及びガード期間（ＧＰ）領域のうちの少なくとも１つの領域の長さ及び位置に関する情報を運び、または、
前記第２の構成シグナリングは、前記時間ユニットにおけるアップリンク領域及び/またはダウンリンク領域の割り当てパターンを示す情報を運び、前記時間ユニットにおけるアップリンク領域及び/またはダウンリンク領域の割り当てパターンは、事前に設定された１個の時間ユニットにおけるアップリンク領域及び/またはダウンリンク領域の複数の割り当てパターンのうちの１つであり、または、
前記第２の構成シグナリングは、前記時間ユニットにおけるダウンリンク領域の開始位置または終了位置に関する情報を運び、または、
前記第２の構成シグナリングは、前記時間ユニットにおけるアップリンク領域の開始位置または終了位置に関する情報を運ぶことを特徴とする請求項１５に記載の端末。
【請求項１７】
前記伝送ユニットは、
アップリンクＤＣＩフォーマットを利用するダウンリンク制御チャネルが検出される場合、前記ダウンリンク制御チャネルの所在のダウンリンク領域に対応するアップリンク領域において、アップリンク共有チャネル伝送を行い、または、
ダウンリンクＤＣＩフォーマットでダウンリンクＳＰＳリソース解放を示すダウンリンク制御チャネルが検出される場合、前記ダウンリンク制御チャネルの所在のダウンリンク領域に対応するアップリンク領域において、ＡＣＫ／ＮＡＣＫフィードバックを行い、または、
ダウンリンク共有チャネルが検出される場合、前記ダウンリンク共有チャネルの所在のダウンリンク領域に対応するアップリンク領域において、ＡＣＫ／ＮＡＣＫフィードバックを行うことを特徴とする請求項１５に記載の端末。
【請求項１８】
ダウンリンクＤＣＩフォーマットでダウンリンクＳＰＳリソース解放を示すダウンリンク制御チャネルが検出される場合、前記ダウンリンク領域に対応するアップリンク領域は、前記ダウンリンク制御チャネルの所在のダウンリンク領域と同一の時間ユニットにおいて事前に約定または構成されたアップリンク領域であり、または、前記ダウンリンク制御チャネル内の指示フィールドにより決定されたアップリンク領域であり、または、前記ダウンリンク制御チャネルの所在のダウンリンク領域の終了位置から所定時間長だけ離間したアップリンク領域であり、
または、
ダウンリンク共有チャネルが検出される場合、前記ダウンリンク領域に対応するアップリンク領域は、前記ダウンリンク共有チャネルの所在のダウンリンク領域と同一の時間ユニットにおいて事前に約定または構成されたアップリンク領域であり、または、前記ダウンリンク共有チャネルのスケジューリングシグナリング内の指示フィールドにより決定されたアップリンク領域であり、または、前記ダウンリンク共有チャネルの所在のダウンリンク領域の終了位置から所定時間長だけ離間したアップリンク領域であり、
または、
アップリンクＤＣＩフォーマットを利用するダウンリンク制御チャネルが検出される場合、前記ダウンリンク領域に対応するアップリンク領域は、前記ダウンリンク制御チャネルの所在のダウンリンク領域と同一の時間ユニットにおいて事前に約定または構成されたアップリンク領域であり、または、前記ダウンリンク制御チャネルの所在のダウンリンク領域の所在の時間ユニットの後ろの時間ユニットにおいて事前に約定または構成されたアップリンク領域であり、または、前記ダウンリンク制御チャネル内の指示フィールドにより決定されたアップリンク領域であることを特徴とする請求項１７に記載の端末。
【請求項１９】
端末の時間ユニットの開始位置を決定し、また、前記端末の時間ユニットにおけるアップリンク領域及びダウンリンク領域の割り当てを決定するように構成される、決定ユニットと、
前記端末の時間ユニットのダウンリンク領域において、前記端末にダウンリンク伝送を送信するように構成される、ダウンリンク伝送ユニットと、
前記ダウンリンク伝送の所在のダウンリンク領域に対応するアップリンク領域において、前記端末のアップリンク伝送を受信するように構成される、受信ユニットと
を備えることを特徴とする基地局。
【請求項２０】
前記決定ユニットは、方式１、方式２及び方式３のうちの少なくとも１つに従って動作し、
方式１
前記決定ユニットは、第１の構成シグナリングを通して、前記開始位置を前記端末に通知し、
前記第１の構成シグナリングは、所定の基準時間ユニットに対する前記端末の時間ユニットの時間オフセットを運び、または、
前記第１の構成シグナリングは、前記端末の時間ユニットの開始位置に関する情報を運び、
方式２
第１の構成シグナリングを通して、セルの端部にある端末に対し時間ユニットの固定開始位置を構成し、前記時間ユニットの固定開始位置は、事前に定義されたまたは約定された開始位置であり、または、
第１の構成シグナリングを通して、セルの中心にある端末に対し、同じまたは異なる時間ユニットの開始位置を構成し、
方式３
前記決定ユニットは、
第２の構成シグナリングを通して、前記端末の時間ユニットにおけるアップリンク領域及び/またはダウンリンク領域の割り当てを、前記端末に通知し、
前記第２の構成シグナリングは、前記時間ユニットにおけるアップリンク領域、ダウンリンク領域及びガード期間（ＧＰ）領域のうちの少なくとも１つの領域の長さ及び位置に関する情報を運び、または、
前記第２の構成シグナリングは、前記時間ユニットにおけるアップリンク領域及び/またはダウンリンク領域の割り当てパターンを示す情報を運び、前記時間ユニットにおけるアップリンク領域及び/またはダウンリンク領域の割り当てパターンは、事前に設定された１個の時間ユニットにおけるアップリンク領域及び/またはダウンリンク領域の複数の割り当てパターンのうちの１つであり、または、
前記第２の構成シグナリングは、前記時間ユニットにおけるダウンリンク領域の開始位置または終了位置に関する情報を運び、または、
前記第２の構成シグナリングは、前記時間ユニットにおけるアップリンク領域の開始位置または終了位置に関する情報を運ぶことを特徴とする請求項１９に記載の基地局。
【請求項２１】
前記決定ユニットは、
前記端末の１個の時間ユニットにおけるダウンリンク領域を、他の１個の端末の１個の時間ユニットにおけるガード期間（ＧＰ）領域またはダウンリンク領域として決定し、及び/または
前記端末の１個の時間ユニットにおけるアップリンク領域を他の１個の端末の１個の時間ユニットにおけるＧＰ領域またはアップリンク領域として決定することを特徴とする請求項１９に記載の基地局。
【請求項２２】
前記受信ユニットは、
前記ダウンリンク伝送が、ダウンリンクＤＣＩフォーマットでダウンリンクＳＰＳリソース解放を示すダウンリンク制御チャネルを介する伝送である場合、前記ダウンリンク制御チャネルの所在のダウンリンク領域に対応するアップリンク領域において、前記ダウンリンク制御チャネルのＡＣＫ／ＮＡＣＫフィードバックを受信し、または、
前記ダウンリンク伝送がダウンリンク共有チャネルを介する伝送である場合、前記ダウンリンク共有チャネルの所在のダウンリンク領域に対応するアップリンク領域において、前記ダウンリンク共有チャネルのＡＣＫ／ＮＡＣＫフィードバックを受信し、または、
前記ダウンリンク伝送がアップリンクＤＣＩフォーマットを利用するダウンリンク制御チャネルを介する伝送である場合、前記ダウンリンク制御チャネルの所在のダウンリンク領域に対応するアップリンク領域において、前記ダウンリンク制御チャネルに対応するアップリンク共有チャネルを受信することを特徴とする請求項１９に記載の基地局。
【請求項２３】
前記ダウンリンク伝送が、ダウンリンクＤＣＩフォーマットでダウンリンクＳＰＳリソース解放を示すダウンリンク制御チャネルを介する伝送である場合、前記ダウンリンク伝送の所在のダウンリンク領域に対応するアップリンク領域は、前記ダウンリンク制御チャネルの所在のダウンリンク領域と同一の時間ユニットにおいて事前に約定または構成されたアップリンク領域であり、または、前記ダウンリンク制御チャネル内の指示フィールドに示されたアップリンク領域であり、または、前記ダウンリンク制御チャネルの所在のダウンリンク領域の終了位置から所定時間長だけ離間したアップリンク領域であり、
または、
前記ダウンリンク伝送がダウンリンク共有チャネルを介する伝送である場合、前記ダウンリンク伝送の所在のダウンリンク領域に対応するアップリンク領域は、前記ダウンリンク共有チャネルの所在のダウンリンク領域と同一の時間ユニットにおいて事前に約定または構成されたアップリンク領域であり、または、前記ダウンリンク共有チャネルのスケジューリングシグナリング内の指示フィールドに示されたアップリンク領域であり、または、前記ダウンリンク共有チャネルの所在のダウンリンク領域の終了位置から所定時間長だけ離間したアップリンク領域であり、
または、
前記ダウンリンク伝送がアップリンクＤＣＩフォーマットを利用するダウンリンク制御チャネルを介する伝送である場合、前記ダウンリンク伝送の所在のダウンリンク領域に対応するアップリンク領域は、前記ダウンリンク制御チャネルの所在のダウンリンク領域と同一の時間ユニットにおいて事前に約定または構成されたアップリンク領域であり、または、前記ダウンリンク制御チャネルの所在のダウンリンク領域の所在の時間ユニットの後ろの時間ユニットにおいて事前に約定または構成されたアップリンク領域であり、または、前記ダウンリンク制御チャネルの指示フィールドに示されたアップリンク領域であることを特徴とする請求項２２に記載の基地局。
【国際調査報告】
2019533361.tif 000016
2019533361.tif 000017
2019533361.tif 000018
2019533361.tif 000019